(57)【要約】【課題】遊技者が簡易に音量の設定を最大にすることができる技術を提供する。【解決手段】遊技者にとって有利な特別遊技を行うか否かの判定結果に基づいて、図柄を変動表示させてから判定結果を表す態様で停止表示させる特別図柄変動制御部と、変動表示中に、所定の演出を実行する演出制御部と、遊技者が操作可能な演出ボタンと、所定の演出において演出ボタンが操作された場合に、特定演出を実行可能な演出制御部と、少なくとも所定の演出において音を出力するスピーカと、を備え、図柄の変動表示が実行されていないときに、演出ボタンが操作された場合に、スピーカにより出力する音量の設定を最大にする。【選択図】図３１
2018000681.tif 000002
【特許請求の範囲】
【請求項１】
遊技者にとって有利な特別遊技を行うか否かの判定結果に基づいて、図柄を変動表示させてから前記判定結果を表す態様で停止表示させる図柄制御手段と、
前記変動表示中に、所定の演出を実行する演出実行手段と、
遊技者が操作可能な操作手段と、
前記所定の演出において前記操作手段が操作された場合に、特定演出を実行可能な特定演出実行手段と、
少なくとも前記所定の演出において音を出力する音出力手段と、を備え、
前記図柄の変動表示が実行されていないときに、前記操作手段が操作された場合に、前記音出力手段により出力する音量の設定を最大にすることを特徴とする遊技機。
【発明の詳細な説明】
【技術分野】
【０００１】
本発明は、遊技機に関するものである。
【背景技術】
【０００２】
近年、遊技者が適切な音量の範囲内で自由に演出音の音量を調整することができる遊技機が提案されている
例えば、特許文献１に記載された遊技機は、以下のように構成されている。すなわち、
制御コマンドを出力する主制御基板と、制御コマンドに応じた演出制御を行う液晶・音声制御基板と、演出制御に応じた演出音を出力する音声出力装置を備え、遊技者による演出音の音量の出力可能範囲を設定する。そして、設定された演出音の音量の出力可能範囲内で、遊技者に演出音の音量の設定を行わせる。そして、遊技者が操作可能な第１ボタン及び第２ボタンを備え、遊技者による第１ボタンの操作に応じて音量の増大を、第２ボタンの操作に応じて音量の減少を行う。
【先行技術文献】
【特許文献】
【０００３】
【特許文献１】特開２０１１−２２９７６５号公報
【発明の概要】
【発明が解決しようとする課題】
【０００４】
遊技者としては、簡易に音量の設定を最大にすることができる方が便利である。
本発明は、遊技者が簡易に音量の設定を最大にすることができる遊技機を提供することを目的とする。
【課題を解決するための手段】
【０００５】
上記の目的を達成する本発明は、次のような遊技機として実現される。この遊技機（例えば、パチンコ遊技機１００）は、遊技者にとって有利な特別遊技を行うか否かの判定結果に基づいて、図柄を変動表示させてから前記判定結果を表す態様で停止表示させる図柄制御手段（例えば、特別図柄変動制御部２３３）と、前記変動表示中に、所定の演出を実行する演出実行手段（例えば、演出制御部３００）と、遊技者が操作可能な操作手段（例えば、演出ボタン１６１）と、前記所定の演出において前記操作手段（例えば、演出ボタン１６１）が操作された場合に、特定演出を実行可能な特定演出実行手段（例えば、演出制御部３００）と、少なくとも前記所定の演出において音を出力する音出力手段（例えば、スピーカ１５６）と、を備え、前記図柄の変動表示が実行されていないときに、前記操作手段（例えば、演出ボタン１６１）が操作された場合に、前記音出力手段（例えば、スピーカ１５６）により出力する音量の設定を最大にすることを特徴とする遊技機（例えば、パチンコ遊技機１００）である。
【０００６】
なお、本欄における上記符号は、本発明の説明に際して例示的に付したものであり、この符号により本発明が減縮されるものではない。
【発明の効果】
【０００７】
本発明によれば、遊技者が簡易に音量の設定を最大にすることができる遊技機を提供することができる。
【図面の簡単な説明】
【０００８】
【図１】本実施の形態に係るパチンコ遊技機の概略正面図である。
【図２】（ａ）は遊技盤の右下に配設された表示器の一例を示す拡大図であり、（ｂ）はパチンコ遊技機の部分平面図である。
【図３】本実施の形態のパチンコ遊技機の制御ユニットの内部構成を示す図である。
【図４】本実施の形態の画像／音響制御部およびランプ制御部の説明図である。
【図５】本実施の形態の遊技制御部の機能構成を示すブロック図である。
【図６】遊技制御部による基本処理の動作を示すフローチャートである。
【図７】遊技制御部による電源遮断時処理の動作を示すフローチャートである。
【図８】遊技制御部の主制御処理を示すフローチャートである。
【図９】始動口スイッチ処理の内容を示すフローチャートである。
【図１０】特別図柄処理の内容を示すフローチャートである。
【図１１】変動パターン選択処理の内容を示すフローチャートである。
【図１２】変動パターン選択処理において用いられる変動パターンとテーブルの設定例を示す図である。
【図１３】遊技制御部のＲＡＭの構成例を説明するブロック図であり、（ａ）は記憶領域の構成を示すブロック図であり、（ｂ）は（ａ）に示す記憶部の各々の構成を示すブロック図である。
【図１４】演出制御部のＲＡＭの構成例を説明するブロック図であり、（ａ）は保留記憶領域の構成を示すブロック図であり、（ｂ）は（ａ）に示す記憶部の各々の構成を示すブロック図である。
【図１５】事前判定処理の内容を示すフローチャートである。
【図１６】演出制御部の動作を示すフローチャートであり、（ａ）はメイン処理を示す図、（ｂ）は割り込み処理を示す図である。
【図１７】コマンド受信処理の内容を示すフローチャートである。
【図１８】演出選択処理の内容を示すフローチャートである。
【図１９】事前判定演出パターン選択処理の内容を示すフローチャートである。
【図２０】変動演出パターン選択処理の内容を示すフローチャートである。
【図２１】客待ちコマンド受信処理の内容を示すフローチャートである。
【図２２】演出ボタン処理の内容を示すフローチャートである。
【図２３】画像／音響制御部が、画像表示部を用いて行う装飾図柄変動演出の一態様を示す図である。
【図２４】画像／音響制御部が、画像表示部を用いて行う装飾図柄変動演出の一態様を示す図である。
【図２５】演出ボタンを用いた装飾図柄変動演出の具体例について説明する図である。
【図２６】演出キーを用いた装飾図柄変動演出の具体例について説明する図である。
【図２７】（ａ）は、音量切替スイッチの概略図である。（ｂ）は、音量切替スイッチのつまみの位置と音量の初期値との関係を示す図である。
【図２８】画像表示部に示された調整機能画像を示す図である。
【図２９】画像表示部に示されたトップメニュー画像を示す図である。
【図３０】客待ち状態である場合に画像表示部に表示される、音量・光量を調整可能であることを示唆する示唆画像の図である。
【図３１】客待ち状態である場合であって第１０音量に設定されていない場合に画像表示部に表示する画像の図である。
【図３２】演出ボタンが押された場合に画像表示部に表示する画像の図である。
【図３３】遊技者が音量および光量を調整することができる期間を示す図である。
【図３４】演出ボタンが押された場合に画像表示部に表示する画像の変形例である。
【発明を実施するための形態】
【０００９】
以下、添付図面を参照して、本発明の実施の形態について詳細に説明する。
〔遊技機の基本構成〕
図１は、本実施の形態に係るパチンコ遊技機１００の概略正面図である。
図１に示す遊技機の一例としてのパチンコ遊技機１００は、遊技領域１１１とレール部材１１２と案内部材１１３と画像表示部１１４と可動役物１１５と盤ランプ１１６とを有する遊技盤１１０と、遊技盤１１０を囲む枠部材１５０とを備えている。
画像表示部１１４は、液晶ディスプレイ等による表示画面を備え、遊技者によるゲームの進行に伴い、例えば、図柄抽選結果（図柄変動結果）を遊技者に報知するための装飾図柄を表示したり、キャラクタの登場やアイテムの出現による演出画像や後述の保留表示を用いた演出画像を表示したりする。
【００１０】
本実施の形態では、入賞や抽選に関する種々の役物として、遊技球が入賞すると特別図柄抽選（大当たり抽選）が始動する第１始動口１２１および第２始動口１２２と、遊技球が通過すると普通図柄抽選（開閉抽選）が始動する始動ゲート（以下、単にゲートと呼ぶ）１２４と、が遊技盤１１０に配設されている。なお、図１において、ゲート１２４は、遊技領域１１１の左右にそれぞれ設けられており、左側のゲート１２４は１２４Ｌと記載し、右側のゲート１２４は１２４Ｒと記載している。また、ここにいう第１始動口１２１および第２始動口１２２とは、予め定められた１の特別図柄表示器の作動契機となる入賞口をいう。具体的には、第１始動口１２１および第２始動口１２２には、入賞の際に遊技球の通過を検知するスイッチ（後述の第１始動口スイッチ２１１および第２始動口スイッチ２１２）が設けられている。そして、第１始動口１２１または第２始動口１２２に遊技球が入賞した際にこのスイッチが遊技球の通過を検知することが、特別図柄表示器を作動させる契機となる。
【００１１】
第２始動口１２２は、チューリップの花の形をした一対の羽根が電動ソレノイドにより開閉すると共に点灯する普通電動役物としての電動チューリップ（開閉部材）１２３を備えている。電動チューリップ１２３は、羽根が閉じていると、遊技球が第２始動口１２２へ入り難い一方で、羽根が開くと第２始動口１２２の入口が拡大して遊技球が第２始動口１２２へ入り易くなるように構成されている。そして、電動チューリップ１２３は、普通図柄抽選に当選すると、点灯ないし点滅しながら羽根が規定時間（例えば０．１５秒ないし１．８秒間）および規定回数（例えば１回ないし３回）だけ開く。
【００１２】
また、パチンコ遊技機１００は、第２始動口１２２への入賞機会が少ない時短無状態と、時短無状態よりも第２始動口１２２への入賞機会が多い時短状態とを有している。そして、所定の条件において、時短無状態と、時短状態とのいずれかの状態に制御される。時短状態とは、たとえば、特別図柄変動時間および普通図柄変動時間を短縮すること、電動チューリップ１２３の開時間を延長すること、普通図柄抽選の当たり当選確率を高確率にすること、のいずれか一つまたは複数の組合せによって制御される遊技状態である。
【００１３】
また、本実施の形態では、入賞や抽選に関するその他の役物として、特別図柄抽選の結果に応じて開放する特別電動役物としての大入賞口１２５と、遊技球が入賞しても抽選を行わない普通入賞口１２６と、が遊技盤１１０に配設されている。
本実施の形態では、遊技盤１１０の左下の位置に、抽選結果や保留数に関する表示を行う表示器１３０が配設されている。
【００１４】
また、遊技盤１１０の裏面には、特別図柄の当選の判定等を行う遊技制御基板、演出を統括的に制御する演出制御基板、画像および音による演出を制御する画像制御基板、各種のランプおよび可動役物１１５による演出を制御するランプ制御基板などの図示しない各種の基板等が取り付けられる。また、遊技盤１１０の裏面には、供給された２４ＶのＡＣ電源をＤＣ電源に変換して各種の基板等に出力するスイッチング電源（不図示）が配設されている。
【００１５】
枠部材１５０は、遊技者がハンドル１５１に触れてレバー１５２を時計方向に回転させる操作を行うとその操作角度に応じた打球力にて遊技球を所定の時間間隔（例えば１分間に１００個）で電動発射する発射装置（不図示）を備えている。また、枠部材１５０は、遊技者のレバー１５２による操作と連動したタイミングで発射装置に遊技球を１つずつ順に供給する供給装置（不図示）と、供給装置が発射装置に供給する遊技球を一時的に溜めておく皿１５３と、を備えている。この皿１５３には、例えば払い出しユニットによる払出球が払い出される。
なお、本実施の形態では、皿１５３を上下皿一体で構成しているが、上皿と下皿とを分離する構成例も考えられる。また、発射装置のハンドル１５１を所定条件下で発光させる構成例も考えられる。
【００１６】
また、枠部材１５０は、発射装置のハンドル１５１に遊技者が触れている状態であっても遊技球の発射を一時的に停止させるための停止ボタン１５４と、皿１５３に溜まっている遊技球を箱（不図示）に落下させて取り出すための取り出しボタン１５５と、を備えている。
また、枠部材１５０は、パチンコ遊技機１００の遊技状態や状況を告知したり各種の演出を行ったりするスピーカ１５６および枠ランプ１５７を備えている。スピーカ１５６は、楽曲や音声、効果音による各種の演出を行う。枠ランプ１５７は、ＬＥＤ等の発光体で構成され、点灯・点滅によるパターンや発光色の違い等で光による各種の演出を行う。なお、枠ランプ１５７については、光の照射方向を変更する演出を行うことを可能にする構成例が考えられる。
また、枠部材１５０は、遊技盤１１０を遊技者と隔てるための透明板（不図示）を備えている。
【００１７】
図２は、本実施の形態に係るパチンコ遊技機１００を説明する図であり、図２（ａ）は、遊技盤１１０の右下に配設された表示器１３０の一例を示す拡大図であり、図２（ｂ）は、パチンコ遊技機１００の部分平面図である。
パチンコ遊技機１００の表示器１３０は、図２（ａ）に示すように、第１始動口１２１の入賞に対応して作動する第１特別図柄表示器２２１と、第２始動口１２２の入賞に対応して作動する第２特別図柄表示器２２２と、ゲート１２４の通過に対応して作動する普通図柄表示器２２３と、を備えている。第１特別図柄表示器２２１は、第１始動口１２１の入賞に基づき、特別図柄を変動表示した後に停止表示させて抽選結果を表示する。第２特別図柄表示器２２２は、第２始動口１２２の入賞に基づき、特別図柄を変動表示した後に停止表示させて抽選結果を表示する。普通図柄表示器２２３は、遊技球がゲート１２４を通過したことに基づき、普通図柄を変動表示した後に停止表示させて抽選結果を表示する。本実施の形態では、第１特別図柄表示器２２１、第２特別図柄表示器２２２は、各々ＬＥＤを配列した表示装置で構成され、その点灯態様によって特別図柄抽選の抽選結果が表示される。同様に、普通図柄表示器２２３も、ＬＥＤを配列した表示装置で構成され、その点灯態様によって普通図柄抽選の抽選結果が表示される。
【００１８】
また、表示器１３０は、第１特別図柄表示器２２１での保留に対応して作動する第１特別図柄保留表示器２１８と、第２特別図柄表示器２２２での保留に対応して作動する第２特別図柄保留表示器２１９と、普通図柄表示器２２３での保留に対応して作動する普通図柄保留表示器２２０と、を備えている。本実施の形態では、第１特別図柄保留表示器２１８、第２特別図柄保留表示器２１９および普通図柄保留表示器２２０は、各々ＬＥＤを配列した表示装置で構成され、その点灯態様によって保留数が表示される。
【００１９】
ここで、保留について説明する。特別図柄の変動表示動作中（入賞１回分の変動表示が行なわれている間）にさらに第１始動口１２１または第２始動口１２２に遊技球が入賞した場合、特別図柄が変動中であるために、後の入賞に基づく特別図柄の変動表示動作を開始することができない。そのため、後の入賞は規定個数（例えば４個）を限度に記憶され、その入賞した遊技球に対する特別図柄を始動させるための権利が、先に入賞した遊技球に対する変動表示動作が終了するまで、保留される。
なお、普通図柄に関しても、特別図柄と同様の処理を行う。このような保留がなされていることおよびその保留の数（未変動数）が、第１特別図柄保留表示器２１８、第２特別図柄保留表示器２１９および普通図柄保留表示器２２０に表示される。
【００２０】
さらに、表示器１３０は、パチンコ遊技機１００の状態を表示する状態表示器２２４を備えている。本実施の形態では、状態表示器２２４は、３個のＬＥＤを配列した表示装置で構成されている。３個のＬＥＤのうち１つは、パチンコ遊技機１００の状態が、特別図柄抽選の当選確率が高確率である高確率状態となっているか否かを点灯により報知するものである。また、他の１つは、パチンコ遊技機１００の状態が、第２始動口１２２に入賞しやすい時短状態となっているか否かを点灯により報知するものである。さらに他の１つは、右打ちすることによって（遊技球の打球力を変更することによって）遊技者に有利な状態となっているか否かを点灯により報知するものである。
【００２１】
パチンコ遊技機１００の枠部材１５０は、遊技者が演出に対する入力を行うための入力装置を備えている。図２（ｂ）に示すように、本実施の形態では、入力装置の一例として、演出ボタン１６１と、演出ボタン１６１に隣接し、略十字に配列された複数のキーからなる演出キー１６２と、が枠部材１５０に配設されている。演出キー１６２は、図２（ｂ）に示すように、上側に配置された上側キー１６２ａと、左側に配置された左側キー１６２ｂと、下側に配置された下側キー１６２ｃと、右側に配置された右側キー１６２ｄとを有している。図示の例において、複数の画像の中から１つの画像を選択する操作を受け付ける演出を行う場合を考える。この場合、例えば、遊技者が十字に配列された４つのキーからなる演出キー１６２を操作することにより、画像表示部１１４に表示されている複数の画像のいずれかを指示し、演出ボタン１６１を操作することにより、指示した画像を選択するような演出を行うことができる。また、入力装置の形態としては、図示した演出ボタン１６１および演出キー１６２の他、レバーやダイヤル等、演出の内容等に応じて様々な入力形態を採用することができる。
【００２２】
〔制御ユニットの構成〕
次に、パチンコ遊技機１００での動作制御や信号処理を行う制御ユニットについて説明する。
図３は、本実施の形態のパチンコ遊技機１００の制御ユニットの内部構成を示すブロック図である。
図４は、本実施の形態の画像／音響制御部およびランプ制御部の説明図である。
【００２３】
図３に示すように、制御ユニットは、メイン制御手段として、特別図柄の当選の判定等を行う遊技制御部２００を備えている。また、サブ制御手段として、演出を統括的に制御する演出制御部３００と、払出球の払い出し制御を行う払出制御部３３０と、を備えている。
【００２４】
〔遊技制御部の構成・機能〕
遊技制御部２００は、特別図柄の当選の判定等を行う際の演算処理を行うＣＰＵ２０１と、ＣＰＵ２０１にて実行されるプログラムや各種データ等が記憶されたＲＯＭ２０２と、ＣＰＵ２０１の作業用メモリ等として用いられるＲＡＭ２０３と、を備えている。
【００２５】
遊技制御部２００は、パチンコ遊技機１００の遊技状態を、高確率状態または低確率状態のいずれか、時短無状態または時短状態のいずれかで制御する。これにより、パチンコ遊技機１００の遊技状態は、高確率状態および時短状態である高確率時短遊技状態、低確率状態および時短状態である低確率時短遊技状態、高確率状態および時短無状態である高確率時短無遊技状態、低確率状態および時短無状態である低確率時短無遊技状態のいずれかとなる。そして、遊技制御部２００は、所定の条件に基づき、高確率状態と低確率状態とを切り替え、時短無状態と時短状態とを切り替える。また、遊技制御部２００は、時短状態において、時短無状態よりも普通図柄抽選の当たり当選確率を高確率にする、普通図柄変動時間を短縮する、電動チューリップ１２３の開時間を延長する等の制御を行う。
【００２６】
遊技制御部２００は、第１始動口１２１または第２始動口１２２に遊技球が入賞したことを契機として特別図柄抽選を行う。そして、特別図柄抽選の判定結果に応じて大当たり遊技等の特別遊技を行う。特別遊技において、遊技制御部２００は、特別電動役物である大入賞口１２５が所定条件（例えば２９．５秒経過または遊技球１０個の入賞）を満たすまで開状態を維持するラウンドを所定回数だけ繰り返すように制御する。そして、遊技制御部２００は、大入賞口１２５が開く際の開閉動作間隔を制御する。
【００２７】
また、遊技制御部２００は、ゲート１２４を遊技球が通過したことを契機として普通図柄抽選を行う。そして、普通図柄抽選の判定結果に応じて電動チューリップ１２３の作動を制御する。
また、遊技制御部２００は、特別図柄変動中に遊技球が第１始動口１２１または第２始動口１２２へ入賞したことにより発生する保留や、普通図柄変動中に遊技球がゲート１２４を通過したことにより発生する保留の設定を行う。
さらに、遊技制御部２００は、特別図柄抽選および普通図柄抽選の判定結果、高確率状態と低確率状態の変更情報、時短無状態と時短状態の変更情報、保留の設定情報等の遊技制御に伴う情報を、後述するコマンドにより演出制御部３００に送る。
【００２８】
さらに、遊技制御部２００は、第１始動口１２１、第２始動口１２２、大入賞口１２５および普通入賞口１２６に遊技球が入賞すると、遊技球が入賞した場所に応じて１つの遊技球当たり所定数の賞球を払い出すように、払出制御部３３０に対する指示を行う。例えば、第１始動口１２１に遊技球が入賞すると３個の賞球、第２始動口１２２に遊技球が入賞すると４個の賞球、大入賞口１２５に遊技球が入賞すると１３個の賞球、普通入賞口１２６に遊技球が入賞すると１０個の賞球をそれぞれ払い出すように、払出制御部３３０に指示命令（コマンド）を送る。なお、ゲート１２４を遊技球が通過したことを検出しても、それに連動した賞球の払い出しは払出制御部３３０に指示しない。
払出制御部３３０が遊技制御部２００の指示に従って賞球の払い出しを行った場合には、遊技制御部２００は、払い出した賞球の個数に関する情報を払出制御部３３０から取得する。それにより、払い出した賞球の個数を管理する。
【００２９】
遊技制御部２００には、検知手段として、図３に示すように、第１始動口１２１への遊技球の入賞を検出する第１始動口検出部（第１始動口スイッチ（ＳＷ））２１１と、第２始動口１２２への遊技球の入賞を検出する第２始動口検出部（第２始動口スイッチ（ＳＷ））２１２と、電動チューリップ１２３を開閉する電動チューリップ開閉部２１３と、ゲート１２４への遊技球の通過を検出するゲート検出部（ゲートスイッチ（ＳＷ））２１４と、が接続されている。
さらに、遊技制御部２００には、大入賞口１２５への遊技球の入賞を検出する大入賞口検出部（大入賞口スイッチ（ＳＷ））２１５と、大入賞口１２５を閉状態と突出傾斜した開状態とに設定する大入賞口開閉部２１６と、普通入賞口１２６への遊技球の入賞を検出する普通入賞口検出部（普通入賞口スイッチ（ＳＷ））２１７と、が接続されている。
【００３０】
また、遊技制御部２００には、特別図柄の変動中に第１始動口１２１へ入賞した未変動分の保留個数を表示する第１特別図柄保留表示器２１８と、特別図柄の変動中に第２始動口１２２へ入賞した未変動分の保留個数を表示する第２特別図柄保留表示器２１９と、普通図柄の変動中にゲート１２４を通過した未変動分の保留個数を表示する普通図柄保留表示器２２０と、が接続されている。
さらに、遊技制御部２００には、第１始動口１２１への遊技球の入賞により行われる特別図柄の変動表示および特別図柄抽選の結果を表示する第１特別図柄表示器２２１と、第２始動口１２２への遊技球の入賞により行われる特別図柄の変動表示および特別図柄抽選の結果を表示する第２特別図柄表示器２２２と、普通図柄の変動表示および普通図柄抽選の結果を表示する普通図柄表示器２２３と、パチンコ遊技機１００の状態を表示する状態表示器２２４と、が接続されている。
【００３１】
そして、第１始動口スイッチ２１１、第２始動口スイッチ２１２、ゲートスイッチ２１４、大入賞口スイッチ２１５および普通入賞口スイッチ２１７にて検出された検出信号が、遊技制御部２００に送られる。また、遊技制御部２００からの制御信号が、電動チューリップ開閉部２１３、大入賞口開閉部２１６、第１特別図柄保留表示器２１８、第２特別図柄保留表示器２１９、普通図柄保留表示器２２０、第１特別図柄表示器２２１、第２特別図柄表示器２２２、普通図柄表示器２２３および状態表示器２２４に送られる。それにより、遊技制御部２００は、上記した払い出し賞球数に関連する各種制御を行う。
【００３２】
さらに、遊技制御部２００には、ホールに設置されたホストコンピュータ（不図示）に対して各種の情報を送信する盤用外部情報端子基板３５０が接続されている。そして、遊技制御部２００は、払出制御部３３０から取得した、払い出した賞球数に関する情報や遊技制御部２００の状態等を示す情報を、盤用外部情報端子基板３５０を介してホストコンピュータに送信する。
【００３３】
〔払出制御部の構成・機能〕
払出制御部３３０は、払出球の払い出しを制御する際の演算処理を行うＣＰＵ３３１と、ＣＰＵ３３１にて実行されるプログラムや各種データ等が記憶されたＲＯＭ３３２と、ＣＰＵ３３１の作業用メモリ等として用いられるＲＡＭ３３３と、を備えている。
そして、払出制御部３３０は、遊技制御部２００から送られたコマンドに基づいて、払出球の払い出しを制御する。
具体的には、払出制御部３３０は、遊技制御部２００から、遊技球が入賞した場所（第１始動口１２１等）に応じた所定数の賞球を払い出すコマンドを取得する。そして、コマンドに指定された数だけの賞球を払い出すように払出駆動部３３４を制御する。ここでの払出駆動部３３４は、遊技球の貯留部から遊技球を送り出す駆動モータで構成される。
【００３４】
また、払出制御部３３０には、払出駆動部３３４により遊技球の貯留部から実際に払い出された賞球の数を検出する払出球検出部３３５と、貯留部（不図示）での遊技球の貯留の有無を検出する球有り検出部３３６と、遊技者が遊技する際に使用する遊技球や払い出された賞球が保持される皿１５３が満タン状態に有るか否かを検出する満タン検出部３３７と、が接続されている。そして、払出制御部３３０は、払出球検出部３３５、球有り検出部３３６および満タン検出部３３７にて検出された検出信号を受け取り、これらの検出信号に応じた所定の処理を行う。
さらに、払出制御部３３０には、ホールに設置されたホストコンピュータに対して各種の情報を送信する枠用外部情報端子基板３４０が接続されている。そして、払出制御部３３０は、例えば払出駆動部３３４に対して払い出すように指示した賞球数に関する情報や払出球検出部３３５にて検出された実際に払い出された賞球数に関する情報等を枠用外部情報端子基板３４０を介してホストコンピュータに送信する。また、遊技制御部２００に対しても、同様の情報を送信する。
【００３５】
〔演出制御部の構成・機能〕
演出制御部３００は、演出を制御する際の演算処理を行うＣＰＵ３０１と、ＣＰＵ３０１にて実行されるプログラムや各種データ等が記憶されたＲＯＭ３０２と、ＣＰＵ３０１の作業用メモリ等として用いられるＲＡＭ３０３と、日時を計測するリアルタイムクロック（ＲＴＣ）３０４と、を備えている。
演出制御部３００は、例えば遊技制御部２００から送られる特別図柄抽選での当選か否かの判定結果および変動パターンに基づいて、演出内容を設定する。その際、演出ボタン１６１または演出キー１６２を用いたユーザからの操作入力を受けて、操作入力に応じた演出内容を設定する場合もある。この場合、例えば演出ボタン１６１等のコントローラ（不図示）から操作に応じた信号（操作信号）を受け付け、この操作信号により識別される操作内容を演出の設定に反映させる。
また、演出制御部３００は、遊技が所定期間中断された場合には、演出の一つとして客待ち用の画面表示の設定を指示する。
さらには、演出制御部３００は、遊技制御部２００より受信した高確率状態と低確率状態の変更情報、時短無状態と時短状態の変更情報に基づいて演出内容を設定する。
また、演出制御部３００は、設定した演出内容の実行を指示するコマンドを画像／音響制御部３１０およびランプ制御部３２０に送る。その際、演出制御部３００は、スピーカ１５６から出力される音の大きさである音量（ボリューム）が後述するようにして設定した音量となるように音量の設定を指示する。また、演出制御部３００は、盤ランプ１１６、枠ランプ１５７等のランプや、画像表示部１１４の表示画面（例えば液晶ディスプレイ）の光量が後述するようにして設定した光量となるように光量の設定を指示する。
【００３６】
さらに、演出制御部３００には、画像および音響を用いた演出を制御する画像／音響制御部３１０と、各種のランプおよび可動役物１１５を用いた演出を制御するランプ制御部３２０と、が接続されている。
【００３７】
〔画像／音響制御部の構成・機能〕
画像／音響制御部３１０は、図４に示すように、演出内容を表現する画像および音響を制御する際の演算処理を行うＣＰＵ３１１と、ＣＰＵ３１１にて実行されるプログラムや各種データ等が記憶されたＲＯＭ３１２と、ＣＰＵ３１１の作業用メモリ等として用いられるＲＡＭ３１３と、ＶＤＰ（Video Display Processor）３１４と、ＣＧＲＯＭ３１５と、ＳＮＤＲＯＭ３１６とを備えている。
【００３８】
そして、画像／音響制御部３１０は、演出制御部３００から送られたコマンドに基づいて、画像表示部１１４に表示する画像およびスピーカ１５６から出力する音響を制御する。
具体的には、ＣＧＲＯＭ３１５には、画像表示部１１４において遊技中に表示する図柄画像や背景画像、遊技者に抽選結果を報知するための装飾図柄、遊技者に予告演出を表示するためのキャラクタやアイテム等といった画像データが記憶されている。また、ＳＮＤＲＯＭ３１６には、画像データと同期させて、または画像データとは独立にスピーカ１５６から出力させる楽曲や音声、さらにはジングル等の効果音等といった各種音響データが記憶されている。
ＣＰＵ３１１は、演出制御部３００から送られた保留数コマンドもしくは変動開始コマンドに基づいて、アニメーションパターンの解析や、描画に関するコマンドをまとめたディスプレイリストの作成、およびディスプレイリストのＶＤＰ３１４への送信などを行う。
【００３９】
ＶＤＰ３１４は、ＣＰＵ３１１から受信したディスプレイリストに基づいて、ＣＧＲＯＭ３１５やＳＮＤＲＯＭ３１６にそれぞれ記憶された画像データや音響データを読み出す。さらには、ＶＤＰ３１４は、読み出した画像データを用いて背景画像表示、図柄画像表示、図柄画像変動、およびキャラクタ／アイテム表示等のための描画処理と、読み出した音響データを用いた音声処理とを行う。そして、ＶＤＰ３１４は、描画処理された画像データにより画像表示部１１４での画面表示を制御する。また、ＶＤＰ３１４は、音声処理された音響データによりスピーカ１５６から出力される音響を制御する。
なお、本実施の形態では、ＶＤＰ３１４が描画処理に併せて音声処理も行うよう構成しているが、これに限定されず、音声処理を専用で行うプロセッサを別途設けても構わない。
【００４０】
〔ランプ制御部の構成・機能〕
ランプ制御部３２０は、盤ランプ１１６や枠ランプ１５７の発光、および可動役物１１５の動作を制御する際の演算処理を行うＣＰＵ３２１と、ＣＰＵ３２１にて実行されるプログラムや各種データ等が記憶されたＲＯＭ３２２と、ＣＰＵ３２１の作業用メモリ等として用いられるＲＡＭ３２３と、を備えている。
そして、ランプ制御部３２０は、演出制御部３００から送られたコマンドに基づいて、盤ランプ１１６や枠ランプ１５７の点灯／点滅や発光色等を制御する。また、可動役物１１５の動作を制御する。
【００４１】
具体的には、ランプ制御部３２０のＲＯＭ３２２には、演出制御部３００にて設定される演出内容に応じた盤ランプ１１６や枠ランプ１５７での点灯／点滅パターンデータおよび発光色パターンデータ（発光パターンデータ）が記憶されている。ＣＰＵ３２１は、ＲＯＭ３２２に記憶された発光パターンデータの中から、演出制御部３００から送られたコマンドに対応したものを選択して読み出す。そして、ランプ制御部３２０は、読み出した発光パターンデータにより盤ランプ１１６や枠ランプ１５７の発光を制御する。
また、ランプ制御部３２０のＲＯＭ３２２には、演出制御部３００にて設定される演出内容に応じた可動役物１１５の動作パターンデータが記憶されている。ＣＰＵ３２１は、可動役物１１５に対しては、読み出した動作パターンデータによりその動作を制御する。
【００４２】
なお、本実施の形態では、遊技制御部２００、演出制御部３００、画像／音響制御部３１０、ランプ制御部３２０、および払出制御部３３０各々は、遊技盤１１０の後面に配設されたメイン基板としての遊技制御基板、サブ基板としての演出制御基板、画像制御基板、ランプ制御基板、および払出制御基板において個別に構成されている。
【００４３】
〔遊技制御部の機能構成〕
続いて、遊技制御部２００の機能構成を説明する。
図５は、遊技制御部２００の機能構成を示すブロック図である。図５に示すように、遊技制御部２００は、各種抽選処理を実行する機能部として、乱数取得部２３１と、普通図柄判定部２３２と、特別図柄変動制御部２３３と、特別図柄判定部２３４と、普通図柄変動制御部２３６と、を備えている。
また、遊技制御部２００は、特別図柄変動に伴う処理を実行する機能部として、変動パターン選択部２３５を備えている。
さらに、遊技制御部２００は、各種役物の動作制御や賞球等に関するデータ処理を実行する機能部として、大入賞口動作制御部２３７と、電動チューリップ動作制御部２３８と、賞球処理部２３９と、出力制御部２４０と、乱数制御部２４１と、を備えている。
【００４４】
乱数取得部２３１は、特別図柄抽選に用いられる乱数値と、普通図柄抽選に用いられる乱数値とを取得する。特別図柄抽選に用いられる乱数値の場合、具体的には、第１始動口１２１や第２始動口１２２に遊技球が入賞したことを条件として、乱数の種類ごとに、所定の範囲の数値の中から１つの数値（乱数値）が選択（取得）される。取得された乱数値は、特別図柄判定部２３４による判定に用いられる。詳しくは後述するが、特別図柄抽選に用いられる乱数としては、大当たりか否かを示す大当たり乱数、大当たりの種類を示す図柄乱数、変動パターン乱数、リーチ乱数等が有る。
また、普通図柄抽選に用いられる乱数値の場合、具体的には、ゲート１２４を遊技球が通過したことを条件として、所定の範囲の数値の中から１つの数値（乱数値）が選択（取得）される。取得された乱数値は、普通図柄判定部２３２による判定に用いられる。なお、普通図柄抽選に用いられる乱数としては、当たりか否かを示す当たり乱数の他、当たりの種類を示す図柄乱数や変動パターン乱数等が設定される場合もある。
特別図柄変動制御部２３３は、特別図柄抽選が行われた場合に、抽選結果に応じて、第１特別図柄表示器２２１または第２特別図柄表示器２２２における特別図柄の変動を制御する。
【００４５】
特別図柄判定部２３４は、特別図柄の変動開始時に、乱数テーブルを用いて、特別図柄抽選の抽選結果が「大当たりか否か」、「大当たりに当選した場合の大当たりの種類」、「大当たりに当選していない場合での小当たりかはずれか」を判定する大当たり判定処理を行う。すなわち、乱数取得部２３１は、検知手段である第１始動口スイッチ２１１または第２始動口スイッチ２１２により遊技球の通過が検知されたことを契機として特別図柄に関する乱数値を取得し、特別図柄判定部２３４は、取得した乱数値に基づいて、遊技者にとって有利な特別遊技（大当たり遊技等）を行うか否かを判定する。なお、前述した特別図柄の抽選（大当たり抽選）は、乱数取得部２３１および特別図柄判定部２３４における処理のことをいう。
【００４６】
ここで、「大当たり」は、大当たり遊技の終了後に発生する遊技状態に応じて複数の種類に分けられる。具体的には、時短無状態か時短状態か、および高確率状態か低確率状態かの組み合わせによって大当たりの種類が決まる。すなわち、大当たり遊技の終了後に発生する遊技状態に基づく大当たりの種類としては、大当たり遊技の終了後に、高確率時短遊技状態となる大当たり（以下、高確率時短遊技状態の大当たり）、低確率時短遊技状態となる大当たり（以下、低確率時短遊技状態の大当たり）、高確率時短無遊技状態となる大当たり（以下、高確率時短無遊技状態の大当たり）、低確率時短無遊技状態となる大当たり（以下、低確率時短無遊技状態の大当たり）が有り得る。これらの大当たりは、各々個別の特別図柄に対応付けられており、特別図柄抽選において当選した特別図柄の種類に応じて大当たりの種類が確定する。
【００４７】
また、「大当たり」は、大当たり遊技の時間が長く多量の遊技球の払い出しが期待できる大当たりと、大当たり遊技の時間が短く遊技球の払出がほとんど期待できない大当たりとに分けられる場合がある。前者は「長当たり」と呼ばれ、後者は「短当たり」と呼ばれる。例えば、「長当たり」では、大入賞口１２５の開状態が所定条件（例えば２９．５秒経過または１０個の遊技球の入賞）を満たすまで維持されるラウンドが所定回数（例えば１５回）繰り返される。また、「短当たり」では、一定時間（例えば０．１秒）だけ大入賞口１２５が開状態となるラウンドが所定回数（例えば１５回）繰り返される。
【００４８】
また、大当たりに当選していない場合の「小当たり」は、例えば０．１秒だけ大入賞口１２５が開状態となる態様が所定回数（例えば１５回）行われる小当たり遊技が行われる。なお、小当たり当選時には、小当たり遊技が終了した後においても小当たり当選前の遊技状態を継続する。すなわち、小当たり当選時の遊技状態が高確率時短遊技状態である場合には、小当たり遊技の終了後においても高確率時短遊技状態が継続され、遊技状態は移行しない。同様に、小当たりの当選時の遊技状態が低確率時短無遊技状態である場合には、小当たり遊技の終了後においても低確率時短無遊技状態が継続され、遊技状態は移行しない。
また、「小当たり」は、「はずれ」の一種であり、遊技者に有利となる上記の遊技状態の何れも設定されない。
【００４９】
変動パターン選択部２３５は、第１特別図柄表示器２２１や第２特別図柄表示器２２２にて表示する特別図柄の変動パターン（変動時間）を選択する。具体的には、変動パターン選択部２３５は、大当たり遊技を行うか否かの判定結果およびリーチを行うか否かの判定結果等に基づいて、変動パターンを決定する。そして、変動パターン選択部２３５により選択された変動パターンに基づいて、特別図柄変動制御部２３３が特別図柄の変動を制御する。変動パターン選択部２３５および特別図柄変動制御部２３３の動作の詳細については後述する。
ここで、「リーチ」とは、後述する装飾図柄において遊技者に大当たりを期待させるための演出である。
【００５０】
普通図柄判定部２３２は、普通図柄の変動開始時に、乱数テーブルを用いて、普通図柄の抽選結果が「当たりか否か」を判定する。すなわち、普通図柄判定部２３２は、乱数取得部２３１により取得された普通図柄抽選用の乱数値に基づいて、電動チューリップ１２３を開閉作動させる補助遊技を行うか否かを判定する。また、普通図柄抽選において複数の種類の当たりが設定される場合は、普通図柄判定部２３２は、判定結果が当たりであった場合の「当たりの種類」を判定する。なお、普通図柄抽選は、乱数取得部２３１および普通図柄判定部２３２により行われる処理である。
普通図柄変動制御部２３６は、普通図柄抽選が行われた場合に、抽選結果に応じて、普通図柄表示器２２３による普通図柄の変動を制御する。
電動チューリップ動作制御部２３８は、普通図柄判定部２３２により普通図柄抽選において「当たり」と判定された場合に、電動チューリップ１２３を規定時間および規定回数だけ開放し、第２始動口１２２に遊技球が入賞容易となる状態を発生させる。また、「はずれ」と判定された場合には、電動チューリップ１２３のこのような開放状態を発生させない。
【００５１】
大入賞口動作制御部２３７は、特別図柄判定部２３４により特別図柄抽選において「大当たり」と判定された場合に、大当たり遊技として、当選した大当たりの種類に基づいて特定される作動パターンで大入賞口１２５の開放動作を制御する。また、大入賞口動作制御部２３７は、特別図柄判定部２３４により特別図柄抽選において「小当たり」と判定された場合に、小当たり遊技として、規定時間および規定回数だけ大入賞口１２５を開放する。
賞球処理部２３９は、入賞や抽選に関する種々の役物への入賞個数の管理および入賞に応じた賞球の払い出しの制御用コマンドをセットする。
出力制御部２４０は、遊技制御部２００から演出制御部３００および払出制御部３３０へ制御用コマンドの出力を制御する。
乱数制御部２４１は、乱数取得部２３１が所定のタイミングで取得する各種の乱数値を更新する。
【００５２】
〔遊技機の基本動作〕
次に、パチンコ遊技機１００の基本動作を説明する。
パチンコ遊技機１００の遊技制御部２００は、電源が投入されると、起動時の基本処理として、各種装置の初期化や初期設定を行う。そして、基本処理を行った後、遊技制御部２００は、遊技の進行に関する一連の処理である主制御処理を繰り返し実行する。また、電源を遮断する際には、遊技制御部２００は、一連の電源遮断時処理を実行する。
【００５３】
図６は、遊技制御部２００による基本処理の動作を示すフローチャートである。
遊技制御部２００は、パチンコ遊技機１００の電源が投入されると、まず、ＲＡＭ２０３（図３参照）へのアクセスを許可する（ステップ（以下、ステップを「Ｓ」と記載する）６０１）。そして、遊技制御部２００は、ＲＡＭ２０３をクリアするためのＲＡＭクリアスイッチがＯＮとなっているか否かを判断する（Ｓ６０２）。
ＲＡＭクリアスイッチがＯＦＦである場合（Ｓ６０２でＮｏ）、次に、遊技制御部２００は、電源遮断時の動作に関するバックアップフラグがＯＮとなっているか否かを判断する（Ｓ６０３）。
バックアップフラグがＯＮである場合（Ｓ６０３でＹｅｓ）、次に、遊技制御部２００は、電源遮断時に作成されたチェックサムが正常か否かを判断する（Ｓ６０４）。
チェックサムが正常である場合（Ｓ６０４でＹｅｓ）、次に、遊技制御部２００は、復帰処理を実行する（Ｓ６０５）。この復帰処理において、遊技制御部２００は、電源が遮断された状態からの復帰に伴う、演出制御部３００等のサブ制御手段の設定を行う。具体的には、遊技制御部２００は、電源が遮断される際におけるパチンコ遊技機１００の遊技状態（大当たり遊技中か否か、高確率状態と低確率状態のいずれか、時短状態と時短無状態のいずれか）を反映させるように、サブ制御手段を設定するためのコマンドを演出制御部３００へ出力する。また、この復帰処理において、遊技制御部２００は、バックアップフラグをＯＦＦにする。
【００５４】
一方、ＲＡＭクリアスイッチがＯＮ（Ｓ６０２でＹｅｓ）、バックアップフラグがＯＦＦ（Ｓ６０３でＮｏ）、チェックサムが異常（Ｓ６０４でＮｏ）のいずれかに該当する場合、次に遊技制御部２００は、初期化処理として、ＲＡＭ２０３の記憶内容をクリアし（Ｓ６０６）、ＲＡＭ２０３の作業領域を設定する（Ｓ６０７）。そして、遊技制御部２００は、サブ制御手段を設定（初期化）するためのコマンドを演出制御部３００へ出力し、サブ基板（サブ制御手段）の設定を行う（Ｓ６０８）。サブ基板の設定には、各サブ基板に搭載されているＲＡＭ３０３、ＲＡＭ３１３、ＲＡＭ３２３をクリアすること等が含まれる。
【００５５】
復帰処理（Ｓ６０５参照）が終了した後、またはサブ基板の設定（Ｓ６０８参照）が終了した後、遊技制御部２００は、遊技制御に用いられる各種のカウンタおよびタイマーを設定する（Ｓ６０９）。そして、遊技制御部２００は、割り込み許可（Ｓ６１０）、割り込み禁止（Ｓ６１１）、図柄乱数制御処理（Ｓ６１２）、初期値乱数更新処理（Ｓ６１３）、電源遮断フラグがＯＮとなっているか否かの判断（Ｓ６１４）をループ処理として繰り返し実行する。
ここで、割り込み許可（Ｓ６１０）および割り込み禁止（Ｓ６１１）は、このループ処理（Ｓ６１０〜Ｓ６１４）の実行中に割り込み処理の実行を可能とするために設けられている。本実施の形態では、この割り込み処理により、遊技制御における主制御処理が実行される。主制御処理の詳細については後述する。
図柄乱数制御処理（Ｓ６１２）において、遊技制御部２００は、特別図柄抽選で用いられる変動パターン乱数の更新を行う。
初期値乱数更新処理（Ｓ６１３）において、遊技制御部２００は、遊技制御において用いられる各種の乱数値の初期値を更新する。
電源遮断フラグの判断において、電源遮断フラグがＯＦＦである場合（Ｓ６１４でＮｏ）、パチンコ遊技機１００の電源は遮断されず、遊技制御部２００は、ループ処理（Ｓ６１０〜Ｓ６１４）と共に割り込みによる主制御処理を繰り返し実行する。一方、電源遮断フラグがＯＮである場合（Ｓ６１４でＹｅｓ）、遊技制御部２００は、パチンコ遊技機１００の電源を遮断するための処理（電源遮断時処理）を開始する。
【００５６】
図７は、遊技制御部２００による電源遮断時処理の動作を示すフローチャートである。
電源遮断時処理において、遊技制御部２００は、まず、各種の出力を行うための出力ポートの設定をクリアする（Ｓ７０１）。次に、遊技制御部２００は、チェックサムを作成し、ＲＡＭ２０３に格納する（Ｓ７０２）。次に、遊技制御部２００は、バックアップフラグをＯＮにし（Ｓ７０３）、ＲＡＭ２０３へのアクセスを禁止して（Ｓ７０４）、無限ループに移行する。
【００５７】
〔遊技機の主制御処理〕
次に、パチンコ遊技機１００の主制御処理を説明する。
遊技制御部２００は、主制御処理において、パチンコ遊技機１００における遊技を制御すると共に、サブ制御手段である演出制御部３００に対して演出の制御を指示し、払出制御部３３０に対して賞球の払い出しの制御を指示する。
【００５８】
図８は、遊技制御部２００の主制御処理を示すフローチャートである。
主制御処理は、遊技制御における一連の処理からなり、予め設定された一定時間（例えば４ミリ秒）ごとに繰り返し実行される。本実施の形態において、遊技制御部２００は、予め設定された一定時間ごとに割り込みを発生させ、図６に示すループ処理の中で割り込みが許可（Ｓ６１０参照）されると、割り込み処理として主制御処理を実行する。図８に示すように、主制御処理では、乱数更新処理、スイッチ処理、図柄処理、電動役物処理、賞球処理、出力処理が順次実行される（Ｓ８０１〜Ｓ８０６）。
【００５９】
乱数更新処理（Ｓ８０１）では、遊技制御部２００は、乱数制御部２４１の機能（サブルーチン）を呼び出し、遊技制御部２００による遊技制御で用いられる各種の乱数の値を更新する。乱数の設定および乱数値の更新の詳細については後述する。
【００６０】
スイッチ処理（Ｓ８０２）としては、始動口スイッチ処理、ゲートスイッチ処理が行われる。
始動口スイッチ処理では、遊技制御部２００は、乱数取得部２３１の機能（サブルーチン）を呼び出し、図３の第１始動口スイッチ２１１および第２始動口スイッチ２１２の状態を監視し、スイッチがＯＮとなった場合に、特別図柄抽選のための処理を実行する。また、詳しくは後述するが、第１始動口スイッチ２１１および第２始動口スイッチ２１２において事前判定処理を行う場合は、特別図柄判定部２３４、変動パターン選択部２３５の各機能（サブルーチン）を呼び出し、事前判定のための処理を実行する。
ゲートスイッチ処理では、遊技制御部２００は、乱数取得部２３１の機能（サブルーチン）を呼び出し、図３のゲートスイッチ２１４の状態を監視し、スイッチがＯＮとなった場合に、普通図柄抽選のための処理を実行する。
これらのスイッチ処理の詳細な内容については後述する。
【００６１】
図柄処理（Ｓ８０３）としては、特別図柄処理、普通図柄処理が行われる。
特別図柄処理では、遊技制御部２００は、特別図柄変動制御部２３３、特別図柄判定部２３４、変動パターン選択部２３５の各機能（サブルーチン）を呼び出し、特別図柄変動およびこの図柄変動に伴う処理を実行する。
普通図柄処理では、遊技制御部２００は、普通図柄判定部２３２および普通図柄変動制御部２３６の機能（サブルーチン）を呼び出し、普通図柄変動およびこの図柄変動に伴う処理を実行する。
これらの図柄処理の詳細な内容については後述する。
【００６２】
電動役物処理（Ｓ８０４）としては、大入賞口処理および電動チューリップ処理が行われる。
大入賞口処理では、遊技制御部２００は、大入賞口動作制御部２３７の機能（サブルーチン）を呼び出し、所定の条件に基づいて特別電動役物である大入賞口１２５の開放動作を制御する。
電動チューリップ処理では、遊技制御部２００は、電動チューリップ動作制御部２３８の機能（サブルーチン）を呼び出し、所定の条件に基づいて普通電動役物である電動チューリップ１２３の開放動作を制御する。
これらの電動役物処理の詳細な内容については後述する。
【００６３】
賞球処理（Ｓ８０５）では、遊技制御部２００は、賞球処理部２３９の機能（サブルーチン）を呼び出し、入賞個数の管理および入賞に応じた賞球の払い出しの制御用コマンドをセットする。
【００６４】
出力処理（Ｓ８０６）では、遊技制御部２００は、出力制御部２４０の機能（サブルーチン）を呼び出し、演出制御用のコマンドを演出制御部３００へ出力し、払い出し制御用のコマンドを払出制御部３３０へ出力する。演出制御用コマンドは、Ｓ８０２からＳ８０４までの各処理において生成され、ＲＡＭ２０３に設けられた制御用コマンドの格納領域に格納（セット）される。払い出し制御用コマンドは、Ｓ８０５の処理において生成され、ＲＡＭ２０３に設けられた制御用コマンドの格納領域に格納（セット）される。ＲＡＭ２０３には、制御用コマンドの種類ごとに格納領域が設定されている。
【００６５】
出力制御部２４０は、ＲＡＭ２０３の各制御用コマンドの格納領域を順に調べ、個々の格納領域に制御用コマンドが格納されていれば（すなわち、Ｓ８０２〜Ｓ８０５の処理で制御用コマンドが生成されていれば）、その制御用コマンドを読み出し、出力先（演出制御部３００または払出制御部３３０）へ出力する。
【００６６】
本実施の形態では、図８に示したように、一連の主制御処理の最後に出力処理を行う。すなわち、第１の処理手段としての上記各機能によるＳ８０２〜Ｓ８０５の各処理において生成されたコマンドを、その各処理においてはＲＡＭ２０３の対応する格納領域に格納しておく。そして、これらの処理の後に、第２の処理手段としての出力制御部２４０が、ＲＡＭ２０３の格納領域に蓄積された、各処理で生成されたコマンドをまとめて出力する。言い換えれば、本実施の形態では、主制御処理を１サイクル実行すると、その１サイクルの実行において生成されたコマンドが、その１サイクルの実行における最後のコマンド生成が行われた後に、出力される。
【００６７】
〔遊技機の基本動作の変形例〕
なお、図６乃至図８を参照して説明した動作例では、基本処理におけるループ処理の部分で割り込みを許可し、割り込み処理として一連の処理からなる主制御処理を実行した。しかしながら、主制御処理は、一定時間ごとに繰り返し実行されるように構成されていれば良く、具体的な実現手段（実行手順）は、図６乃至図８に示した例には限定されない。例えば、基本処理の一連の動作の中に主制御処理を組み入れておき、所定のタイミングで経過時間を計測し、一定時間（例えば４ミリ秒）ごとに主制御処理へ戻る構成としても良い。また、基本処理の一連の動作の中に主制御処理を組み入れる一方で、図６乃至図８を参照して説明した動作と同様に、一定時間ごとに割り込みを発生させ、割り込みが発生したならば基本処理中に組み入れられた主制御処理へ戻る構成としても良い。
【００６８】
また、基本処理で生成されたコマンドを出力する場合は、原則として、コマンドを生成する度に、ＲＡＭ２０３のコマンド格納領域に格納し、第２の処理手段である出力制御部２４０の機能を呼び出して出力する。基本処理は、遊技の進行に関わる主制御処理とは異なり、電源投入時にのみ行われる初期動作等の特別な処理である。また、基本処理は、電源投入時のパチンコ遊技機１００の状態等の条件に基づく分岐により処理手順が変動する場合があるため、出力処理に漏れが無いように、生成したコマンドを速やかに出力する処理である。なお、関連する複数の処理により連続的にコマンドが生成される場合等、具体的な処理の要請に応じて、複数のコマンドをＲＡＭ２０３のコマンド格納領域に格納し、まとめて出力する処理手順を採っても良い。
【００６９】
〔遊技制御部による乱数更新処理〕
特別図柄抽選等の遊技制御における各種の抽選に用いられる判定情報としての乱数値は、カウンタによって計数され、所定の初期値から始まって、図８に示す主制御処理の乱数更新処理（Ｓ８０１）が行われるたびに１ずつ加算される。そして、各抽選が行われた時点の値が始動口スイッチ処理（図９）およびゲートスイッチ処理で取得され、特別図柄処理（図１０）や普通図柄処理で使用される。この乱数値のカウンタは無限ループカウンタであり、計数された乱数値が、設定されている乱数の最大値に達した後は、再び初期値に戻る。また、乱数更新処理は一定時間ごとに行われるため、各乱数の初期値が特定されてしまうと、更新間隔や初期値の情報に基づいて当選値が推定される恐れがある。そこで、主制御処理から図６に示す基本処理に戻った後、Ｓ６１３の初期値乱数更新処理において、各乱数の初期値をランダムに変更する。
【００７０】
〔遊技制御部による始動口スイッチ処理〕
図９は、図８のＳ８０２に示したスイッチ処理のうちの始動口スイッチ処理の内容を示すフローチャートである。
この始動口スイッチ処理は、第１始動口１２１における入賞に対する処理と、第２始動口１２２における入賞に対する処理とが順次行われる。図９を参照すると、遊技制御部２００は、まず、第１始動口１２１に遊技球が入賞して第１始動口スイッチ２１１がＯＮとなったか否かを判断する（Ｓ９０１）。第１始動口スイッチ２１１がＯＮとなったならば、次に遊技制御部２００は、第１始動口１２１の入賞における未変動分の保留数Ｕ１が上限値未満か否かを判断する（Ｓ９０２）。図９に示す例では、上限値を４個としている。保留数Ｕ１が上限値に達している場合は（Ｓ９０２でＮｏ）、それ以上未変動分の入賞を保留することができないので、第１始動口１２１における入賞に対する処理を終了する。
【００７１】
一方、保留数Ｕ１が上限値未満である場合（Ｓ９０２でＹｅｓ）、遊技制御部２００の乱数取得部２３１は、今回の入賞による判定のための乱数値を取得し、ＲＡＭ２０３に格納する（Ｓ９０３）。ここでは、第１始動口１２１の入賞なので、特別図柄抽選のための乱数値が取得される。このとき取得される乱数値は、Ｓ８０１の乱数更新処理で更新された値である。そして、この乱数値により、後の特別図柄処理において特別図柄抽選の結果が確定される。ここにいう乱数値としては、大当たり、小当たりまたははずれを決定する大当たり乱数値、大当たりの種類（大当たり遊技の終了後における時短状態か時短無状態、高確率状態と低確率状態、長当たり、短当たり）を決定する図柄乱数値（大当たり図柄乱数値）、図柄変動における変動パターンを特定するための変動パターン乱数値、はずれのときに後述のリーチ有り演出をするか否かを決定するリーチ乱数値、等が含まれる。
【００７２】
次に、遊技制御部２００は、事前判定処理を行う（Ｓ９０４）。事前判定処理とは、始動口における入賞により乱数の取得が既に行われているが後述する特別図柄処理によって乱数の判定が未だ行われていない入賞球（保留球）について、特別図柄処理によって乱数が判定されるよりも前にその乱数の判定を行う（事前判定）処理である。
【００７３】
そして、本実施の形態の演出制御部３００は、事前判定処理によって判定された乱数の判定結果（事前判定結果）に基づいて、特別図柄処理によって乱数が判定され、その判定結果が報知されるよりも前に、その判定結果を示唆する予告演出を行うことができる。この予告演出は、例えば、始動口における入賞により乱数の取得が既に行われているが特別図柄処理によって乱数の判定が未だ行われていない入賞球（保留球）の発生に応じて、画像表示部１１４に表示される保留表示演出（後述）等を用いて行われる。この事前判定に基づく予告演出により、予告演出に係る事前判定に対応する保留球に関して、その後に特別図柄処理による乱数の判定が行われた際の判定結果が遊技者に示唆される。これによって、遊技者は、保留球に対して期待を抱きながら遊技を行うことができる。
【００７４】
そして、遊技制御部２００は、保留数Ｕ１の値を１加算する（Ｓ９０５）。
この後、遊技制御部２００は、事前判定結果を演出制御部３００に通知するために、Ｓ９０４の事前判定処理による事前判定情報を含む事前判定結果コマンドをＲＡＭ２０３にセットする（Ｓ９０６）。
さらに、遊技制御部２００は、Ｓ９０５による保留数Ｕ１の増加を演出制御部３００に通知するための保留数増加コマンドをＲＡＭ２０３にセットし（Ｓ９０７）、第１始動口１２１における入賞に対する処理を終了する。
【００７５】
次に、第２始動口１２２における入賞に対する処理が行われる。図９を参照すると、次に遊技制御部２００は、第２始動口１２２に遊技球が入賞して第２始動口スイッチ２１２がＯＮとなったか否かを判断する（Ｓ９０８）。第２始動口スイッチ２１２がＯＮとなったならば、次に、遊技制御部２００は、第２始動口１２２の入賞における未変動分の保留数Ｕ２が上限値未満か否かを判断する（Ｓ９０９）。図９に示す例では、上限値を４個としている。保留数Ｕ２が上限値に達している場合は（Ｓ９０９でＮｏ）、それ以上未変動分の入賞を保留することができないので、第２始動口１２２における入賞に対する処理を終了する。
【００７６】
一方、保留数Ｕ２が上限値未満である場合（Ｓ９０９でＹｅｓ）、遊技制御部２００の乱数取得部２３１は、今回の入賞による抽選のための乱数値を取得し、ＲＡＭ２０３に格納する（Ｓ９１０）。ここでは、第２始動口１２２の入賞なので、上記のＳ９０３と同様に、特別図柄抽選のための乱数値（大当たり乱数値、大当たり図柄乱数値）、リーチ乱数値、変動パターン乱数値など）が取得される。このとき取得される乱数値は、Ｓ８０１の乱数更新処理で更新された値である。そして、この乱数値により後の特別図柄処理において特別図柄抽選の結果が確定される。
【００７７】
次に、遊技制御部２００は、事前判定処理を行う（Ｓ９１１）。この事前判定処理の内容は、上記のＳ９０４と同様である。
そして、遊技制御部２００は、保留数Ｕ２の値を１加算する（Ｓ９１２）。
この後、遊技制御部２００は、事前判定結果を演出制御部３００に通知するために、Ｓ９１１の事前判定処理による事前判定情報を含む事前判定結果コマンドをＲＡＭ２０３にセットする（Ｓ９１３）。
さらに、遊技制御部２００は、Ｓ９１２による保留数Ｕ２の増加を演出制御部３００に通知するための保留数増加コマンドをＲＡＭ２０３にセットし（Ｓ９１４）、第２始動口１２２における入賞に対する処理を終了する。
【００７８】
〔遊技制御部による特別図柄処理〕
図１０は、図８のＳ８０３に示した図柄処理のうちの特別図柄処理の内容を示すフローチャートである。
この特別図柄処理において、遊技制御部２００の特別図柄変動制御部２３３は、まず、ＲＡＭ２０３においてセットされるフラグの設定（以下、フラグ設定）において大当たり遊技フラグがＯＮになっているか否かを調べる（Ｓ１１０１）。ここで、大当たり遊技フラグは、特別図柄抽選の結果が大当たりであることを識別するためにセットされるフラグである。大当たりの種類に応じて、長当たり遊技フラグ、短当たり遊技フラグの何れかがセットされる。本実施の形態では、これらを総称して大当たり遊技フラグと呼ぶ。
【００７９】
大当たり遊技フラグがＯＮである場合、既にパチンコ遊技機１００は大当たり中であるので、特別図柄変動を開始することなく特別図柄処理を終了する（Ｓ１１０１でＹｅｓ）。一方、大当たり遊技フラグがＯＦＦである場合（Ｓ１１０１でＮｏ）、次に特別図柄変動制御部２３３は、パチンコ遊技機１００の現在の状態が特別図柄変動中か否かを判断する（Ｓ１１０２）。特別図柄変動中でない場合（Ｓ１１０２でＮｏ）、次に特別図柄変動制御部２３３は、特別図柄の未変動分の保留数Ｕ１、Ｕ２（図９参照）に関する処理を行う（Ｓ１１０３〜Ｓ１１０６）。本実施の形態では、第１始動口１２１の入賞に係る保留数Ｕ１と第２始動口１２２の入賞に係る保留数Ｕ２とを区別しているので、この処理も対応する始動口ごとに個別に行う。
【００８０】
具体的には、特別図柄変動制御部２３３は、まず第２始動口１２２の入賞に係る保留数Ｕ２が１以上か判断する（Ｓ１１０３）。保留数Ｕ２が１以上である場合（Ｓ１１０３でＹｅｓ）、特別図柄変動制御部２３３は、保留数Ｕ２の値を１減算する（Ｓ１１０４）。一方、保留数Ｕ２＝０である場合は（Ｓ１１０３でＮｏ）、特別図柄変動制御部２３３は、次に第１始動口１２１の入賞に係る保留数Ｕ１が１以上か判断する（Ｓ１１０５）。保留数Ｕ１が１以上である場合（Ｓ１１０５でＹｅｓ）、特別図柄変動制御部２３３は、保留数Ｕ１の値を１減算する（Ｓ１１０６）。一方、保留数Ｕ１＝０である場合は（Ｓ１１０５でＮｏ）、特別図柄の抽選を始動するための入賞が無いことを意味するため、特別図柄変動を開始せず、別ルーチンの客待ち設定処理を実行して処理を終了する（Ｓ１１１６）。
【００８１】
客待ち設定処理において、遊技制御部２００は、まず、ＲＡＭ２０３のフラグ設定において客待ちフラグがＯＮになっているか否かを調べる。客待ちフラグがＯＮである場合、パチンコ遊技機１００は客待ち状態であるので、そのまま処理を終了する。一方、客待ちフラグがＯＦＦである場合、遊技制御部２００は、客待ちコマンドを生成してＲＡＭ２０３にセットし、客待ちフラグをＯＮにする。ＲＡＭ２０３にセットされた客待ちコマンドは、図８のＳ８０６に示した出力処理で演出制御部３００へ送信される。なお、客待ちフラグとは、パチンコ遊技機１００が客待ち状態であることを識別するためにセットされるフラグであり、特別図柄の変動が停止して、保留が無い状態でセットされるものである。
【００８２】
なお、本実施の形態では、第２始動口１２２の入賞に係る保留数Ｕ２に関する処理を優先させて行った。すなわち、保留数Ｕ２が１以上である場合は保留数Ｕ２に関する処理を行い、保留数Ｕ２＝０である場合に保留数Ｕ１に関する処理を行っている（Ｓ１１０３〜Ｓ１１０６参照）。これに対し、第１始動口１２１と第２始動口１２２のどちらの入賞かに関わらず、入賞した順に保留数Ｕ１、Ｕ２を減算していくような制御とすることも可能である。
【００８３】
Ｓ１１０４またはＳ１１０６で保留数Ｕ１または保留数Ｕ２を減算した後、特別図柄変動制御部２３３は、ＲＡＭ２０３のフラグ設定においてセットされた客待ちフラグをＯＦＦとする（Ｓ１１０７）。客待ちフラグは、パチンコ遊技機１００が客待ち状態であることを識別するためのフラグである。
【００８４】
次に、特別図柄変動制御部２３３は、上述した大当たり判定処理および変動パターン選択処理を実行する（Ｓ１１０８、Ｓ１１０９）。大当たり判定処理および変動パターン選択処理によって、第１特別図柄表示器２２１、第２特別図柄表示器２２２に変動表示される特別図柄の変動用の設定情報（大当たり図柄、遊技状態、変動パターン等）が決定される。なお、これらの情報は演出制御部３００に送られる変動開始コマンドに含まれる。
【００８５】
この後、特別図柄変動制御部２３３は、大当たり判定処理および変動パターン選択処理で決定された設定内容に基づき、図２に示す第１特別図柄表示器２２１、第２特別図柄表示器２２２により表示される特別図柄の変動を開始する（Ｓ１１１０）。そして、この設定内容を示す設定情報（大当たり図柄、遊技状態、変動パターン等）を含んだ変動開始コマンドを生成し、ＲＡＭ２０３にセットする（Ｓ１１１１）。Ｓ１１１１でセットされた変動開始コマンドは、図８のＳ８０６に示した出力処理で演出制御部３００へ送信される。
【００８６】
Ｓ１１０２で特別図柄変動中と判断された場合（Ｓ１１０２でＹｅｓ）、またはＳ１１１１で変動開始コマンドがセットされた後、特別図柄変動制御部２３３は、変動時間を経過したか否かを判断する（Ｓ１１１２）。すなわち、Ｓ１１１０で特別図柄の変動を開始してからの経過時間がＳ１１０９の変動パターン選択処理で設定された変動時間に達したか否かが判断される。変動時間を経過していなければ（Ｓ１１１２でＮｏ）、特別図柄変動が継続されるので、そのまま特別図柄処理が終了する。
【００８７】
一方、変動時間を経過した場合（Ｓ１１１２でＹｅｓ）、特別図柄変動制御部２３３は、まず、第１特別図柄表示器２２１、第２特別図柄表示器２２２における特別図柄の変動をＳ１１０８の大当たり判定処理で決定された図柄で停止する（Ｓ１１１３）。後述する装飾図柄を停止させるための変動停止コマンドをＲＡＭ２０３にセットする（Ｓ１１１４）。そして、特別図柄変動制御部２３３は、別ルーチンの停止中処理を実行する（Ｓ１１１５）。停止中処理において、特別図柄変動制御部２３３は、大当たり判定処理の判定結果に基づいて、大当たりしたか否か、小当たりしたか否かを判断する。そして、特別図柄変動制御部２３３は、大当たりした場合には、オープニング動作を開始し、オープニング動作における演出を行うためのオープニングコマンドをＲＡＭ２０３にセットする。他方、特別図柄変動制御部２３３は、小当たりした場合には、小当たり遊技を開始する。Ｓ１１１４でセットされた変動停止コマンドおよび停止中処理でセットされたオープニングコマンドは、図８のＳ８０６に示した出力処理で演出制御部３００へ送信される。
【００８８】
〔遊技制御部による変動パターン選択処理〕
図１１は、変動パターン選択処理（図１０のＳ１１０９）の内容を示すフローチャートである。
この変動パターン選択処理において、遊技制御部２００の変動パターン選択部２３５は、まず、パチンコ遊技機１００の遊技状態（時短無状態か時短状態か、および高確率状態か低確率状態か）を参照する（Ｓ１３０１）。そして、大当たり判定処理の判断結果を用いて今回の特別図柄抽選で大当たりしたか否かを判断する（Ｓ１３０２）。そして、大当たりだった場合（Ｓ１３０２でＹｅｓ）、変動パターン選択部２３５は、大当たり用の変動パターンテーブルをＲＯＭ２０２から読み出してＲＡＭ２０３にセットする（Ｓ１３０３）。
【００８９】
一方、大当たりしなかった場合（Ｓ１３０２でＮｏ）、次に変動パターン選択部２３５は、遊技者に大当たりを期待させるためのいわゆるリーチ演出を行うか否かを決定するための乱数値の判定を行う（Ｓ１３０４）。リーチ演出を行うか否かは、図９のＳ９０３またはＳ９１０で取得したリーチ乱数の値が予め設定された値と一致したか否かを判断することによって決定される。
乱数値を用いた判定の結果、リーチ演出を行う場合（Ｓ１３０５でＹｅｓ）、変動パターン選択部２３５は、リーチ用の変動パターンテーブルをＲＯＭ２０２から読み出してＲＡＭ２０３にセットする（Ｓ１３０６）。また、リーチ演出を行わない場合（Ｓ１３０５でＮｏ）、変動パターン選択部２３５は、はずれ用の変動パターンテーブルをＲＯＭ２０２から読み出してＲＡＭ２０３にセットする（Ｓ１３０７）。
ここで、変動パターンテーブルとは、予め用意されている複数の変動パターン（変動時間３秒、７秒、１３秒、１５秒、３０秒、６０秒、９０秒など）と変動パターン乱数の値とを対応付けたテーブルである。
【００９０】
次に、変動パターン選択部２３５は、図９のＳ９０３またはＳ９１０で取得した変動パターン乱数値およびＳ１３０３、Ｓ１３０６、Ｓ１３０７でセットされた変動パターンテーブルを用いて、変動パターン乱数値の判定を行う（Ｓ１３０８）。すなわち、変動パターン選択部２３５は、ＲＡＭ２０３にセットされた変動パターンテーブルを参照し、変動パターン乱数の乱数値に応じた変動パターンを選択する。したがって、同じ乱数値が取得された場合でも、パチンコ遊技機１００の遊技状態（時短状態か時短無状態か、および高確率状態か低確率状態か）、特別図柄抽選の結果（大当たりしたか否か、大当たりしていない場合はリーチ演出を行うか否か）等の違いに応じて参照される変動パターンテーブルが異なるので、決定される変動パターンが異なる。
【００９１】
この後、変動パターン選択部２３５は、Ｓ１３０８で選択した変動パターンを設定情報としてＲＡＭ２０３にセットする（Ｓ１３０９）。Ｓ１３０９でセットされた変動パターンの設定情報は、図１０のＳ１１１１でセットされる変動開始コマンドに含まれ、図８のＳ８０６に示した出力処理で演出制御部３００へ送信される。本実施の形態で選択される変動パターンおよびその設定の詳細については後述する。
【００９２】
〔変動パターンの設定例〕
次に、図１１に示した変動パターン選択処理において用いられる変動パターンとテーブルの設定例について説明する。
図１２は、図１１に示した変動パターン選択処理において用いられる変動パターンとテーブルの設定例を示す図である。なお、図１２には、第１始動口１２１に遊技球が入賞した場合であって、遊技状態が低確率時短無遊技状態もしくは高確率時短無遊技状態の場合に選択される設定例を示している。
【００９３】
なお、本実施の形態では、図示を省略しているが、変動パターン選択処理に用いられる変動パターンの設定として、遊技状態が低確率時短遊技状態もしくは高確率時短遊技状態の場合に選択される変動パターンも存在する。そして、それらの変動パターンを選択する際に参照される時短状態用の変動パターンテーブルが設けられており、時短無状態用の変動パターンテーブルとは異なる設定内容となっている。さらに、第２始動口１２２に遊技球が入賞する場合に関して、変動パターン選択処理において選択される変動パターンの設定のテーブルが個別に設けられてもよいし、第１始動口１２１に遊技球が入賞した場合に参照するテーブルを共用して参照するようにしてもよい。
【００９４】
図１２に示すように、変動パターンＡ〜Ｄは、特別図柄抽選の判定結果が大当たりの場合（図１１のＳ１３０２でＹｅｓの場合）に選択される変動パターンである。また、変動パターンＥ〜Ｈは、特別図柄抽選の判定結果がはずれであってリーチ演出が行われる場合（図１１のＳ１３０５でＹｅｓの場合）に選択される変動パターンである。そして、変動パターンＩ〜Ｋは、特別図柄抽選の判定結果がはずれであってリーチ演出が行われない場合（図１１のＳ１３０５でＮｏの場合）に選択される変動パターンとして設定されている。なお、特別図柄抽選の判定結果が大当たりのときの変動パターンＡ〜Ｄが選択される場合においてはリーチ演出の有無は参照されない。
【００９５】
図１２に示す例では、特別図柄抽選の判定結果が大当たりであった場合（図１１のＳ１３０２でＹｅｓの場合）の変動パターンとして、４種類の変動パターンＡ〜Ｄが設定されている。また、特別図柄抽選の判定結果がはずれ（図１１のＳ１３０２でＮｏの場合）であった場合の変動パターンとして、７種類の変動パターンＥ〜Ｋが設定されている。変動時間は、変動パターンＡが９０秒、変動パターンＢが６０秒、変動パターンＣが３０秒、
変動パターンＤが１５秒、変動パターンＥが９０秒、変動パターンＦが６０秒、変動パターンＧが３０秒、変動パターンＨが１５秒、変動パターンＩが１３秒、変動パターンＪが７秒、変動パターンＫが３秒にそれぞれ設定されている。
【００９６】
また、図１２に示すように、乱数（変動パターン乱数）の値の範囲は、何れも０〜２４９の２５０個である。
そして、特別図柄抽選の判定結果が大当たりであった場合において、変動パターンＡには、１００個の乱数値が割り当てられ、１００／２５０の確率で９０秒の変動時間が設定される。また、変動パターンＢには、７５個の乱数値が割り当てられ、７５／２５０の確率で６０秒の変動時間が設定される。さらに、変動パターンＣには、５０個の乱数値が割り当てられ、５０／２５０の確率で３０秒の変動時間が設定される。そして、変動パターンＤには、２５個の乱数値が割り当てられ、２５／２５０の確率で１５秒の変動時間が設定される。
つまり、特別図柄抽選の判定結果が大当たりであった場合に選択される変動パターンＡ〜Ｄのうち、最も高い割合で変動パターンＡが選択され、次に高い割合で変動パターンＢが選択され、次に高い割合で変動パターンＣが選択され、最も低い割合で変動パターンＤが選択されるように設定することができる。そして、大当たりに当選した場合、比較的長い時に亘っての変動演出が実行されやすくなっている。
【００９７】
また、特別図柄抽選の判定結果がはずれであってリーチ有り演出が行われる場合、変動パターンＥには、２５個の乱数値が割り当てられ、２５／２５０の確率で９０秒の変動時間が設定される。また、変動パターンＦには、５０個の乱数値が割り当てられ、５０／２５０の確率で６０秒の変動時間が設定される。さらに、変動パターンＧには、７５個の乱数値が割り当てられ、７５／２５０の確率で３０秒の変動時間が設定される。そして、変動パターンＨには、１００個の乱数値が割り当てられ、１００／２５０の確率で１５秒の変動時間が設定される。
つまり、特別図柄抽選の判定結果がはずれであってリーチ有り演出が行われる場合に選択される変動パターンＥ〜Ｈのうち、最も高い割合で変動パターンＨが選択され、次に高い割合で変動パターンＧが選択され、次に高い割合で変動パターンＦが選択され、最も低い割合で変動パターンＥが選択されるように設定することができる。そして、はずれであってリーチ有り演出が行われる場合には、比較的短い時間に亘っての変動演出が実行されやすくなっている。
【００９８】
そして、特別図柄抽選の判定結果がはずれであってリーチ無し演出が行われる場合、変動パターンＩ〜Ｋには、２５０個の乱数値が割り当てられる。そして、変動パターンＩは保留数が０個であるとき、変動パターンＪは保留数が１または２個であるとき、変動パターンＫは保留数が３個または４個であるときに、それぞれ選択される変動パターンとして設定されている。すなわち、はずれであってリーチ無し演出が行われる場合、特別図柄抽選における判定の保留数が多いほど、図柄変動の平均時間が短くなるように設定されている。
【００９９】
遊技制御部２００は、遊技球が始動口１２１、１２２に入賞した際に取得した変動パターン乱数値（図９のＳ９０３、Ｓ９１０参照）と、パチンコ遊技機１００の遊技状態、リーチ演出の有無、保留数等の条件とに基づいて特別図柄の変動パターンを決定する。そして、決定された特別図柄の変動パターンの情報は、変動開始コマンドに含まれて、遊技制御部２００から演出制御部３００へ送られる。演出制御部３００では、後述するように、特別図柄変動時の演出として、変動開始コマンドに含まれる変動パターンの情報に基づいて特定される変動時間に対応する（その変動時間で実行可能な）演出が選択されて実行される。
【０１００】
〔事前判定に基づく予告演出を行うための遊技制御部のＲＡＭおよび演出制御部のＲＡＭの構成〕
続いて、事前判定に基づく予告演出を実行するための、本実施の形態における遊技制御部２００のＲＡＭ２０３および演出制御部３００のＲＡＭ３０３の構成について説明する。
図１３は、本実施の形態に係る遊技制御部２００のＲＡＭ２０３（図３参照）の構成例を説明するブロック図である。図１３（ａ）は、記憶領域２０４の構成を示すブロック図であり、図１３（ｂ）は、図１３（ａ）に示す記憶部の各々の構成を示すブロック図である。
【０１０１】
図１３（ａ）に示すように、ＲＡＭ２０３は、大当たり乱数抽選により取得した大当たり乱数を記憶する特別図柄保留記憶領域としての記憶領域２０４を備えている。この記憶領域２０４は、第１始動口１２１の保留数と第２始動口１２２の保留数の最大値に対応する８つの記憶部を有している（各保留数の上限値が４の場合）。具体的に説明すると、記憶領域２０４は、第１記憶部２０４ａ、第２記憶部２０４ｂ、第３記憶部２０４ｃ、第４記憶部２０４ｄ、第５記憶部２０４ｅ、第６記憶部２０４ｆ、第７記憶部２０４ｇ、第８記憶部２０４ｈを有している。
【０１０２】
また、図１３（ｂ）に示すように、これらの記憶部２０４ａ〜２０４ｈの各々は、入賞した始動口（第１始動口１２１または第２始動口１２２）の別を表す情報が記憶される領域と、取得された大当たり乱数が記憶される領域と、図柄乱数が記憶される領域と、リーチ乱数が記憶される領域と、変動パターン乱数が記憶される領域と、を有する。すなわち、記憶部２０４ａ〜２０４ｈの各々には、大当たり乱数、図柄乱数、リーチ乱数および変動パターン乱数が記憶される。
【０１０３】
ここで、各乱数は、第１記憶部２０４ａから順に記憶していく。より具体的に説明すると、例えば、第１記憶部２０４ａ〜第８記憶部２０４ｈの何れにも乱数が記憶されていないときには、取得した乱数が第１記憶部２０４ａに記憶されることになる。また、例えば、第１記憶部２０４ａ〜第４記憶部２０４ｄに乱数がすでに記憶されているときには、取得した乱数が第５記憶部２０４ｅに記憶されることになる。
【０１０４】
図１４は、本実施の形態に係る演出制御部３００のＲＡＭ３０３（図３参照）の構成例を説明するブロック図である。図１４（ａ）は、保留記憶領域３０５、３０６の構成を示すブロック図であり、図１４（ｂ）は、図１４（ａ）に示す記憶部の各々の構成を示すブロック図である。
図１４（ａ）に示すように、ＲＡＭ３０３は、保留球が保留されている状況を記憶する保留状況記憶領域としての第１保留記憶領域３０５および第２保留記憶領域３０６を備えている。この第１保留記憶領域３０５および第２保留記憶領域３０６は、第１始動口１２１への入賞に対する保留および第２始動口１２２への入賞に対する保留にそれぞれ対応しており、各々４つの記憶部を有している。具体的には、第１保留記憶領域３０５は、第１記憶部３０５ａ、第２記憶部３０５ｂ、第３記憶部３０５ｃ、第４記憶部３０５ｄを有している。また、第２保留記憶領域３０６は、第１記憶部３０６ａ、第２記憶部３０６ｂ、第３記憶部３０６ｃ、第４記憶部３０６ｄを有している。
【０１０５】
また、図１４（ｂ）に示すように、これらの記憶部３０５ａ〜３０５ｄ、３０６ａ〜３０６ｄの各々は、保留フラグをＯＮ／ＯＦＦする保留フラグ記憶領域と、報知フラグをＯＮ／ＯＦＦする報知フラグ記憶領域と、を有している。保留フラグは、各記憶部３０５ａ〜３０５ｄ、３０６ａ〜３０６ｄごとに保留球の有無を識別するためのフラグである。すなわち、例えば第１始動口１２１への入賞による保留数が３である場合、第１〜３記憶部３０５ａ、３０５ｂ、３０５ｃの３つの保留フラグ記憶領域において、保留フラグがＯＮとなる。報知フラグは、個々の保留球に関して事前判定結果に基づいて予告演出を行うか否かを設定するためのフラグである。本実施の形態のパチンコ遊技機１００では、演出制御部３００において、遊技状態や演出の状況に応じて事前判定結果に基づく予告演出を行うか否かを設定可能としている。そこで、予告演出を行う場合には報知フラグをＯＮとし、予告演出を行わない場合には報知フラグをＯＦＦとする。例えば上記３つの保留球のうち３番目の保留球に対して予告演出を行う場合は、第３記憶部３０５ｃの報知フラグ記憶領域において、報知フラグがＯＮとなる。
【０１０６】
すなわち、ＲＡＭ２０３およびＲＡＭ３０３は、遊技制御部２００および演出制御部３００において、所定数を限度として所定の始動条件の成立に基づく始動情報である保留情報を記憶する記憶手段として機能する。また、遊技制御部２００は、この始動情報である保留情報に基づいて、この始動情報に対応する前記始動条件の成立を契機とする特別図柄判定部２３４の判定が行われる前に、特別遊技状態に移行するか否かに関する事前判定処理を行う事前判定手段である。演出制御部３００は、事前判定結果を予告（示唆）するための予告演出を行う演出制御手段である。
【０１０７】
また、特に図示しないが、図１３（ａ）に示した構成とは別に、ＲＡＭ２０３は、事前判定情報が記憶される領域（以下、事前判定情報格納領域）を有する。事前判定情報とは、上記の各乱数に基づく事前判定処理（図９のＳ９０４、Ｓ９１１参照）によって得られた情報である。事前判定情報の内容は、特別図柄処理（図１０参照）における各種の判定結果として得られる情報と同様であり、具体的には、大当たりしたか否か（および小当たりしたか否か）、大当たりであった場合にはその大当たりの種類、演出の内容はリーチ有り演出であるのかリーチ無し演出であるのか、変動パターン（変動時間）の内容といったことを示すための情報である。事前判定情報格納領域に格納された事前判定情報は、事前判定処理が行われた入賞球（保留球）に対応する保留に関する情報（以下、保留情報）と共に、あるいはこの保留情報とは別に独自のタイミングで、事前判定結果コマンドに含められて遊技制御部２００から演出制御部３００へ送られる。
【０１０８】
〔事前判定処理〕
次に、事前判定処理（図９のＳ９０４、Ｓ９１１参照）について詳細に説明する。
本実施の形態における事前判定処理では、遊技制御部２００では、上述した乱数の構成例と同様の乱数テーブルを用いて以下のとおり事前判定を行う。
【０１０９】
図１５は、本実施の形態に係る事前判定処理（図９のＳ９０４、Ｓ９１１）の内容を示すフローチャートである。
図１５に示すように、遊技制御部２００は、まず、遊技状態が高確率状態か否かを判断し（Ｓ２４０１）、高確率状態であると判断すると（Ｓ２４０１でＹｅｓ）、高確率状態用のテーブルを選択して、大当たり乱数および大当たり図柄乱数の事前判定を行う（Ｓ２４０２）。一方、Ｓ２４０１でＮｏと判断した場合には、低確率状態用のテーブルを選択して、大当たり乱数および大当たり図柄乱数の事前判定を行う（Ｓ２４０３）。
【０１１０】
Ｓ２４０２またはＳ２４０３の大当たり乱数および大当たり図柄乱数の事前判定の後、遊技制御部２００は、遊技状態が時短状態か否かを判断し（Ｓ２４０４）、時短状態であると判断すると（Ｓ２４０４でＹｅｓ）、時短状態用のテーブルを選択して、リーチ乱数の事前判定を行う（Ｓ２４０５）。さらに、時短状態用のテーブルを選択して、変動パターン乱数の事前判定を行う（Ｓ２４０６）。
一方、Ｓ２４０４でＮｏと判断した場合には、時短無状態用のテーブルを選択して、リーチ乱数の事前判定を行う（Ｓ２４０７）。さらに、時短無状態用のテーブルを選択して、変動パターン乱数の事前判定を行う（Ｓ２４０８）。
【０１１１】
この後、遊技制御部２００は、上述のとおり得られた大当たり乱数の事前判定の結果、大当たり図柄乱数の事前判定の結果、リーチ乱数の事前判定の結果、および変動パターンの事前判定の結果を、事前判定情報として事前判定情報格納領域に記憶する（Ｓ２４０９）。さらに、演出制御部３００に事前判定情報を送信するために、事前判定情報を含む事前判定結果コマンドをＲＡＭ２０３にセットする（Ｓ２４１０）。
【０１１２】
ここで、上述の事前判定は、始動口１２１、１２２への遊技球の入賞に応じて取得された乱数値（図９のＳ９０３、Ｓ９１０参照）と、大当たり判定処理で用いられる判定テーブルと同様の構成の判定テーブルとを用いて行った。すなわち、使用する判定テーブルを選択した後の判定自体は、大当たり判定処理における判定と同様である。そこで、本実施の形態では、特別図柄処理（図１０参照）で用いた大当たり判定処理のサブルーチン（図１０のＳ１１０８）を呼び出し、上記の事前判定における乱数の判定を行う。
【０１１３】
このような構成としたことにより、本実施の形態では、事前判定処理における乱数の判定を行うために、大当たり判定処理とは別に乱数を判定する処理機能（サブルーチン）を用意する必要がない。そのため、制御命令の数を削減し、大当たり判定処理および事前判定処理に関するプログラムのサイズの増大を抑制することができる。また、上記のように、事前判定に用いる判定テーブルを大当たり判定で用いる判定テーブルと同様の構成とする場合には、大当たり判定で用いる判定テーブルを事前判定においても用いるようにしても良い。
【０１１４】
また、ここでは特別図柄抽選に関する事前判定（大当たりか否か）についてのみ説明したが、本実施の形態では、特別図柄の変動表示および停止表示を行う際の変動パターンについても、先読み（事前判定）を行う。特別図柄抽選における変動パターンの選択は、始動口１２１、１２２への遊技球の入賞に応じて取得された変動パターン選択用の乱数値（図９のＳ９０３、Ｓ９１０参照）と変動パターンテーブル（図１２参照）とを用いて行われる（図１０のＳ１１０９および図１１参照）。したがって、変動パターンの先読みにおいても、入賞時に取得した変動パターン選択用の乱数値と、特別図柄処理の変動パターン選択処理で用いた変動パターンテーブルと同様の構成の先読みテーブルを用いて、選択される変動パターンを先読みすることができる。
【０１１５】
この場合、変動パターン選択処理で選択される変動パターンを先読みするために、特別図柄処理（図１０参照）で用いた変動パターン選択処理のサブルーチン（図１０のＳ１１０９および図１１参照）を呼び出して用いることができる。また、変動パターン選択の先読みに用いる先読みテーブルに関しても、特別図柄処理の変動パターン選択処理で用いられる変動パターンテーブルを用いて良い。このように構成すれば、変動パターン選択の先読みに関する制御命令の数を削減し、プログラムのサイズの増大を抑制することができる。
【０１１６】
なお、事前判定処理と特別図柄変動時の大当たり判定処理とを、同様の判定テーブル群を用い同じサブルーチンにて行った場合、各処理の実行時が異なるために、事前判定結果と特別図柄変動時の大当たり判定処理による判定結果とが異なる場合があり得る。すなわち、事前判定処理の実行後、特別図柄変動開始時までにパチンコ遊技機１００の遊技状態（高確率状態か低確率状態か、時短状態か時短無状態か）が変化した場合である。この場合、判定テーブルは遊技状態に応じて異なる種類のものが用いられるため、事前判定処理の実行時と大当たり判定処理の実行時とでは、判定に用いられる具体的な判定テーブルが異なることになる。そのため、始動口１２１、１２２への入賞時に獲得した同一の乱数値を使用しても、事前判定結果と大当たり判定処理の判定結果と異なる場合がある。このような場合、演出制御部３００において、事前判定処理の実行後、特別図柄変動の開始時までに遊技状態が変化する場合は、事前判定結果に基づく演出を不実行とする（禁則）制御等を行っても構わない。
【０１１７】
〔演出制御部の動作〕
次に、演出制御部３００の動作を説明する。
図１６は、演出制御部３００の動作を示すフローチャートである。
演出制御部３００の動作は、図１６（ａ）に示すメイン処理と、図１６（ｂ）に示す割り込み処理とからなる。図１６（ａ）を参照すると、演出制御部３００は、まず起動時に初期設定を行い（Ｓ２５０１）、ＣＴＣ（Counter/Timer Circuit）の周期設定を行った後（Ｓ２５０２）、設定された周期にしたがって、演出制御において用いられる乱数を更新しながら（Ｓ２５０３）、割り込み処理を受け付ける。
【０１１８】
割り込み処理は、Ｓ２５０２で設定された周期にしたがって定期的に行われる。図１６（ｂ）を参照すると、この割り込み処理において、演出制御部３００は、遊技制御部２００からのコマンドを受信してコマンド受信処理を行う（Ｓ２５１１）。このコマンド受信処理において、演出内容（演出パターン）が選択される。また、演出制御部３００は、遊技者による演出ボタン１６１等の操作を受け付けるための演出ボタン処理を行う（Ｓ２５１２）。この後、演出制御部３００は、選択した演出パターンの情報を含むコマンドを画像／音響制御部３１０およびランプ制御部３２０に送信するコマンド送信処理を行う（Ｓ２５１３）。これにより、画像表示部１１４への画像表示や音響出力、可動役物１１５の動作、盤ランプ１１６や枠ランプ１５７の発光等による演出が行われる。
【０１１９】
〔演出制御部によるコマンド受信処理〕
図１７は、コマンド受信処理（図１６（ｂ）のＳ２５１１）の内容を示すフローチャートである。
このコマンド受信処理において、演出制御部３００は、まず、事前判定結果コマンドおよび保留数増加コマンドを受信したか否かを判断する（Ｓ２６０１）。なお、事前判定結果コマンドおよび保留数増加コマンドは、遊技制御部２００において、図９に示した始動口スイッチ処理においてセットされ（Ｓ９０６、Ｓ９０７、Ｓ９１３、Ｓ９１４）、図８に示した出力処理（Ｓ８０６）で演出制御部３００へ送信されたコマンドである。
そして、演出制御部３００は、事前判定結果コマンドおよび保留数増加コマンドを受信したと判断した場合（Ｓ２６０１でＹｅｓ）、ＲＡＭ３０３に保持されている保留数の値を１加算する（Ｓ２６０２）。さらに、演出制御部３００は、事前判定結果コマンドおよび保留数増加コマンドに基づいて、事前演出選択処理を行う（Ｓ２６０３）。なお、事前演出選択処理の内容については後に説明する。
【０１２０】
受信したコマンドが事前判定結果コマンドおよび保留数増加コマンドでない場合（Ｓ２６０１でＮｏ）、演出制御部３００は、受信したコマンドが変動開始コマンドか否かを判断する（Ｓ２６０４）。この変動開始コマンドは、遊技制御部２００において、図１０に示した特別図柄処理においてセットされ（Ｓ１１１１）、図８に示した出力処理（Ｓ８０６）で演出制御部３００へ送信されたコマンドである。
受信したコマンドが変動開始コマンドであった場合（Ｓ２６０４でＹｅｓ）、演出制御部３００は、演出選択処理を実行する（Ｓ２６０５）。また、変動開始コマンドを受信した際は、演出選択処理において用いられる演出制御用の乱数値が取得される。この乱数値は、図１６（ａ）に示すメイン処理のＳ２５０３で定期的に更新される乱数値である。演出選択処理の詳細については後述する。
【０１２１】
受信したコマンドが事前判定結果コマンド、保留数増加コマンドおよび変動開始コマンドでない場合（Ｓ２６０１およびＳ２６０４でＮｏ）、演出制御部３００は、受信したコマンドが変動停止コマンドか否かを判断する（Ｓ２６０６）。この変動停止コマンドは、遊技制御部２００において、図１０に示した特別図柄処理においてセットされ（Ｓ１１１４）、図８に示した出力処理（Ｓ８０６）で演出制御部３００へ送信されたコマンドである。
受信したコマンドが変動停止コマンドであった場合（Ｓ２６０６でＹｅｓ）、演出制御部３００は、変動演出終了中処理を実行する（Ｓ２６０７）。
【０１２２】
受信したコマンドが事前判定結果コマンド、保留数増加コマンド、変動開始コマンドおよび変動停止コマンドでない場合（Ｓ２６０１、Ｓ２６０４およびＳ２６０６でＮｏ）、演出制御部３００は、受信したコマンドが大当たり遊技のオープニング動作を開始するためのオープニングコマンドか否かを判断する（Ｓ２６０８）。このオープニングコマンドは、図１０に示した停止中処理においてセットされ（Ｓ１１１５）、図８に示した出力処理（Ｓ８０６）で演出制御部３００へ送信されたコマンドである。
受信したコマンドがオープニングコマンドであった場合（Ｓ２６０８でＹｅｓ）、演出制御部３００は、大当たり演出選択処理を実行する（Ｓ２６０９）。大当たり演出選択処理の詳細については後述する。
【０１２３】
受信したコマンドが事前判定結果コマンド、保留数増加コマンド、変動開始コマンド、変動停止コマンドおよびオープニングコマンドでない場合（Ｓ２６０１、Ｓ２６０４、Ｓ２６０６およびＳ２６０８でＮｏ）、演出制御部３００は、受信したコマンドが大当たり遊技のエンディング動作を開始するためのエンディングコマンドか否かを判断する（Ｓ２６１０）。このエンディングコマンドは、大入賞口処理においてセットされ、図８に示した出力処理（Ｓ８０６）で演出制御部３００へ送信されたコマンドである。
受信したコマンドがエンディングコマンドであった場合（Ｓ２６１０でＹｅｓ）、演出制御部３００は、エンディング演出選択処理を実行する（Ｓ２６１１）。エンディング演出選択処理において、演出制御部３００は、まず受信したエンディングコマンドを解析し、エンディング演出パターンを選択する。そして、演出制御部３００は、選択したエンディング演出パターンによる演出を指示するエンディング演出開始コマンドをＲＡＭ３０３にセットして、エンディング演出選択処理を終了する。
【０１２４】
受信したコマンドが事前判定結果コマンド、保留数増加コマンド、変動開始コマンド、変動停止コマンド、オープニングコマンドおよびエンディングコマンドでない場合（Ｓ２６０１、Ｓ２６０４、Ｓ２６０６、Ｓ２６０８およびＳ２６１０でＮｏ）、次に演出制御部３００は、受信したコマンドが客待ち状態に移行するための客待ちコマンド受信処理を実行する（Ｓ２６１２）。客待ちコマンド受信処理の詳細については後述する。
【０１２５】
図１８（ａ）は、図１７の事前演出選択処理（Ｓ２６０３）の内容を示すフローチャートであり、図１８（ｂ）は、演出選択処理（Ｓ２６０５）の内容を示すフローチャートである。
事前演出選択処理において、演出制御部３００は、まず、遊技制御部２００から受信した事前判定結果コマンドを解析する（Ｓ１８０１）。さらに、演出制御部３００は、遊技制御部２００から受信した保留数増加コマンドを解析する（Ｓ１８０２）。そして、演出制御部３００は、事前判定結果コマンドおよび保留数増加コマンドに基づいて、事前判定演出で用いられる演出パターン（事前判定演出パターン）を選択する（Ｓ１８０３）。
【０１２６】
ここで、事前判定演出パターンとしては、特別図柄処理による乱数の判定結果に基づく変動の開始以前に、その特別図柄処理による乱数の判定結果を予告するような各種の演出パターンを設けることができる。例えば、保留アイコン表示演出や、連続予告演出等の演出を事前判定演出パターンとして設けることができる。本実施の形態では、保留球が発生した際、保留球数を表す表示を、表示器１３０の第１特別図柄保留表示器２１８および第２特別図柄保留表示器２１９に表示する（図２参照）と共に、画像表示部１１４に保留の発生や保留数を表示する保留表示を行う（保留アイコン表示演出）。そこで、この保留アイコン表示演出において、保留表示の表示態様等に事前判定結果を反映させることにより、その保留球に関して、その後に特別図柄処理による乱数の判定が行われた際の判定結果を遊技者に示唆する事前判定演出とすることができる。
【０１２７】
なお、ここでは保留アイコン表示演出を事前判定演出として用いる場合について説明したが、特別図柄処理による乱数の判定結果に基づく変動の開始以前に行われる各種の演出内容に反映させることで、多様な事前判定演出を行うことが可能になる。例えば、画像表示部１１４に表示される演出画像を用いた演出、盤ランプ１１６や枠ランプ１５７の発光による演出、可動役物の動作による演出、楽曲や効果音等の音響出力による演出等を事前判定演出パターンとして設定することができる。
【０１２８】
また、事前判定演出は、事前判定が行われた入賞球（保留球）に対する図柄変動よりも先に行われる他の入賞球に対する図柄変動に伴って実行される。本実施の形態では、保留球は、一つの始動口（第１始動口１２１または第２始動口１２２）につき４個を上限としている（図９参照）。また、第２始動口１２２の保留球の消化を優先するものとする。この場合、例えば、第２始動口１２２のある保留球について事前判定を行ったならば、その保留球についての図柄変動が行われる前に、現在変動中の変動（当該変動と呼ぶ）を含め、最大で４個の入賞球についての図柄変動が行われることとなる。事前判定が行われた保留球に係る事前判定演出において、その保留球についての図柄変動が行われる前に複数回の図柄変動が行われる場合、その複数回の図柄変動にまたがる事前判定演出（以下、連続予告演出と呼ぶ。）を行っても良い。
【０１２９】
そして、演出制御部３００は、加算後の保留数の値と、演出選択処理において選択された事前判定演出パターンの情報とが含まれる保留数コマンドをＲＡＭ３０３にセットする（Ｓ１８０４）。なお、保留数コマンドには、画像／音響制御部３１０のＣＰＵ３１１に対して選択された事前判定演出パターンを通知するために、当該パターンを示す情報が含まれる。ＣＰＵ３１１は保留数コマンドを受信することで、選択された事前判定演出パターンに対応する画像や音響をＶＤＰ３１４に描画、出力処理させるためのディスプレイリスト等の作成を行う。ＶＤＰ３１４は当該ディスプレイリスト等に基づいて、選択された事前判定演出パターンを表すための画像データや音響データをＣＧＲＯＭ３１５やＳＮＤＲＯＭ３１６から読み出して、事前判定演出を画像表示部１１４やスピーカ１５６を用いて表現する。
【０１３０】
演出選択処理において、演出制御部３００は、まず、受信した変動開始コマンドを解析する（Ｓ１８１１）。また、演出制御部３００は、ＲＡＭ３０３の設定からパチンコ遊技機１００の現在のモードフラグを参照し（Ｓ１８１２）、ＲＡＭ３０３に保持されている保留数の値を１減算する（Ｓ１８１３）。そして、演出制御部３００は、変動開始コマンドの解析結果から得られる各種の設定情報（大当たりの種類、大当たり遊技後の遊技状態、変動パターン等の情報）およびモードフラグにより決定される演出モードに基づき、その演出モードで画像表示部１１４に表示する画像による図柄変動の変動演出パターンを選択する（Ｓ１８１４）。
【０１３１】
最後に、演出制御部３００は、選択した演出の実行開始を指示する変動演出開始コマンドをＲＡＭ３０３にセットする（Ｓ１８１５）。なお、変動演出開始コマンドには、ＣＰＵ３１１に対して選択された変動演出パターンを通知するために、当該パターンを示す情報が含まれる。ＣＰＵ３１１は変動演出開始コマンドを受信することで、選択された変動演出パターンに対応する画像や音響をＶＤＰ３１４に描画、出力処理させるためのディスプレイリスト等の作成を行う。ＶＤＰ３１４は当該ディスプレイリスト等に基づいて、選択された変動演出パターンを表すための画像データや音響データをＣＧＲＯＭ３１５やＳＮＤＲＯＭ３１６から読み出して、変動演出を画像表示部１１４やスピーカ１５６を用いて表現する。
【０１３２】
〔演出制御部による事前判定演出パターン選択処理〕
図１９は、事前判定演出パターン選択処理（図１８（ａ）のＳ１８０３）の内容を示すフローチャートである。
事前判定演出パターン選択処理において、演出制御部３００は、まず、パチンコ遊技機１００の遊技状態を参照する（Ｓ３５０１）。そして、時短無状態か否かを判断する（Ｓ３５０２）。そして、時短無状態である場合（Ｓ３５０２でＹｅｓ）、演出制御部３００は、時短無状態用の事前判定演出パターンテーブルをＲＯＭ３０２から読み出してＲＡＭ３０３にセットする（Ｓ３５０３）。一方、時短無状態ではない場合（Ｓ３５０２でＮｏ）、時短状態用の事前判定演出パターンテーブルをＲＯＭ３０２から読み出してＲＡＭ３０３にセットする（Ｓ３５０４）。ここで、事前判定演出パターンテーブルとは、予め用意されている複数の事前判定演出パターンと演出制御用の乱数値とを対応付けたテーブルである。
【０１３３】
次に、演出制御部３００は、事前判定結果コマンドに含まれる変動パターンおよびＳ３５０３、Ｓ３５０４でセットされた事前判定演出パターンテーブルを用いて、演出乱数値の判定を行う（Ｓ３５０５）。すなわち、演出制御部３００は、ＲＡＭ３０３にセットされた事前判定演出パターンテーブルを参照し、変動パターンおよび乱数値に応じた事前判定演出パターンを選択する。ここで、本実施の形態においては、時短状態と非時短状態とでは実行する演出の内容が異なる。従って、同じ乱数値が取得された場合でも、時短状態か時短無状態か、変動パターン等の違いに応じて参照される事前判定演出パターンテーブルが異なるので、決定される事前判定演出パターンが異なる。
この後、演出制御部３００は、Ｓ３５０５で選択した事前判定演出パターンの設定情報をＲＡＭ３０３にセットする（Ｓ３５０６）。Ｓ３５０６でセットされた事前判定演出パターンの設定情報は、図１８（ａ）のＳ１８０４でセットされる保留数コマンドに含まれ、図１６のＳ２５１３に示したコマンド送信処理で画像／音響制御部３１０およびランプ制御部３２０へ送信される。
【０１３４】
〔演出制御部による変動演出パターン選択処理〕
図２０は、変動演出パターン選択処理（図１８のＳ１８１４）の内容を示すフローチャートである。
この変動演出パターン選択処理において、演出制御部３００は、まず、パチンコ遊技機１００の遊技状態（時短無状態か時短状態か、および高確率状態か低確率状態か）を参照する（Ｓ３４０１）。そして、時短無状態か否かを判断する（Ｓ３４０２）。そして、時短無状態である場合（Ｓ３４０２でＹｅｓ）、演出制御部３００は、時短無状態用の変動演出パターンテーブルをＲＯＭ３０２から読み出してＲＡＭ３０３にセットする（Ｓ３４０３）。一方、時短無状態ではない場合（Ｓ３４０２でＮｏ）、時短状態用の変動演出パターンテーブルをＲＯＭ３０２から読み出してＲＡＭ３０３にセットする（Ｓ３４０４）。ここで、変動演出パターンテーブルとは、予め用意されている複数の変動演出パターンと演出制御用の乱数値とを対応付けたテーブルであり、詳細については後述する。
【０１３５】
次に、演出制御部３００は、変動開始コマンドに含まれる変動パターン、変動開始コマンド受信時に取得した演出制御用の乱数値およびＳ３４０３、Ｓ３４０４でセットされた変動演出パターンテーブルを用いて、演出乱数値の判定を行う（Ｓ３４０５）。すなわち、演出制御部３００は、ＲＡＭ３０３にセットされた変動演出パターンテーブルを参照し、変動パターンおよび乱数値に応じた変動演出パターンを選択する。したがって、同じ乱数値が取得された場合でも、時短状態か時短無状態か、変動パターン等の違いに応じて参照される変動演出パターンテーブルが異なるので、決定される変動演出パターンが異なる。
この後、演出制御部３００は、Ｓ３４０５で選択した変動演出パターンの設定情報としてＲＡＭ３０３にセットする（Ｓ３４０６）。Ｓ３４０６でセットされた変動演出パターンの設定情報は、図１８のＳ１８１５でセットされる変動演出開始コマンドに含まれ、図１６のＳ２５１３に示したコマンド送信処理で画像／音響制御部３１０およびランプ制御部３２０へ送信される。本実施の形態で選択される変動演出パターンおよびその設定の詳細については後述する。
【０１３６】
図２１は、図１７の客待ちコマンド受信処理（Ｓ２６１２）の内容を示すフローチャートである。
演出制御部３００は、客待ち状態に移行するための客待ちコマンドを受信したか否かを判断する（Ｓ３２０１）。客待ちコマンドを受信した場合（Ｓ３２０１でＹｅｓ）、演出制御部３００は、経過時間の計測を開始し（Ｓ３２０２）、ＲＡＭ３０３において計測フラグをＯＮにする（Ｓ３２０３）。一方、受信したコマンドが客待ちコマンドでなかった場合（Ｓ３２０１でＮｏ）、演出制御部３００は、ＲＡＭ３０３に保持されている計測フラグがＯＮになっているか否かを判断する（Ｓ３２０４）。計測フラグがＯＦＦであれば（Ｓ３２０４でＮｏ）、客待ちコマンド受信処理を終了する。
【０１３７】
計測フラグがＯＮである場合（Ｓ３２０４でＹｅｓまたはＳ３２０３でＯＮにした後）、次に演出制御部３００は、計測時間があらかじめ定められたタイムアップ時間に達したか否かを判断する（Ｓ３２０５）。タイムアップしていない場合（Ｓ３２０５でＮｏ）、客待ちコマンド受信処理を終了する。一方、タイムアップした場合（Ｓ３２０５でＹｅｓ）、演出制御部３００は、ＲＡＭ３０３に保持されている計測フラグをＯＦＦにし（Ｓ３２０６）、客待ち演出を行うための客待ち演出コマンドをＲＡＭ３０３にセットして客待ちコマンド受信処理を終了する（Ｓ３２０７）。
【０１３８】
図２２は、演出ボタン処理（図１６（ｂ）のＳ２５１２）の内容を示すフローチャートである。
この演出ボタン処理において、演出制御部３００は、まず遊技者による演出ボタン１６１等の操作手段が操作されたか否かを判断する（Ｓ３３０１）。ここで、操作手段の操作とは、演出ボタン１６１が押下されてＯＮとなること、演出キー１６２の中央キーや周囲キーが押下されてＯＮとなることを含む。また、タッチパネル等、演出ボタン１６１および演出キー１６２以外の操作用デバイスがパチンコ遊技機１００に設けられている場合は、そのデバイスの操作を検知したことを含む。演出制御部３００は、これらのデバイスのコントローラから操作信号を受け付けて、操作が行われたことを検知する。
【０１３９】
演出ボタン１６１等の操作手段が操作されたならば（Ｓ３３０１でＹｅｓ）、演出制御部３００は、操作手段の操作内容を示す情報を含む演出ボタンコマンドをＲＡＭ３０３にセットして演出ボタン処理を終了する（Ｓ３３０２）。
【０１４０】
この後、演出制御部３００は、図１６（ｂ）のコマンド送信処理（Ｓ２５１３）を行って、上記のコマンド受信処理および演出ボタン処理でＲＡＭ３０３にセットされたコマンドを画像／音響制御部３１０およびランプ制御部３２０に送信する。そして、画像／音響制御部３１０およびランプ制御部３２０が、受信したコマンドに基づき、画像表示部１１４への画像表示、音響出力、可動役物１１５の動作、盤ランプ１１６や枠ランプ１５７の発光等を制御して、設定された演出を実行する。
【０１４１】
〔演出〕
次に、演出制御部３００および画像／音響制御部３１０が、画像表示部１１４およびスピーカ１５６等を用いて実行する演出について具体的に説明する。
本実施の形態の演出制御部３００および画像／音響制御部３１０は、遊技状態および変動パターンに基づいて設定する、特別図柄の一変動分の演出内容として、装飾図柄変動演出とともに音響出力演出を行う。より具体的には、演出制御部３００は、変動開始コマンドの解析結果から得られる遊技状態および変動パターンでの変動演出パターンを決定し、画像／音響制御部３１０は、演出制御部３００が決定した変動演出パターンに応じた装飾図柄変動演出および音響出力演出を行う。
【０１４２】
（装飾図柄変動演出の具体例）
次に、画像／音響制御部３１０が、画像表示部１１４を用いて行う装飾図柄変動演出について具体的に説明する。
図２３〜図２４は、画像／音響制御部３１０が、画像表示部１１４を用いて行う装飾図柄変動演出の一態様を示す図である。
図２３に示すように、画像表示部１１４には、３つの装飾図柄それぞれが停止表示される位置として、遊技者から見て左側の装飾図柄が停止表示される左図柄停止位置１１４ａ、右側の装飾図柄が停止表示される右図柄停止位置１１４ｂ、中央の装飾図柄が停止表示される中図柄停止位置１１４ｃが設定されている。画像／音響制御部３１０は、図２３に示すように、（１）３つの装飾図柄を縦スクロールにて変動表示した後、先ず、（２）左側の装飾図柄（図２３（２）では「５」）を左図柄停止位置１１４ａに仮停止表示し、次に、（３）右側の装飾図柄（図２３（３）では「３」）を右図柄停止位置１１４ｂに仮停止表示する装飾図柄変動演出を行う。次に、画像／音響制御部３１０は、（４）中央の装飾図柄（図２３（４）では「６」）を中図柄停止位置１１４ｃに仮停止表示し、その後、仮停止表示した３つの装飾図柄を停止表示する装飾図柄変動演出を行う。なお、図２３（４）に示した、停止表示した装飾図柄の組み合わせ「５６３」は、特別図柄抽選の抽選結果がはずれの場合の組み合わせの一例である。また、図２３（１）〜（４）に示した装飾図柄変動演出は、リーチ無し演出における装飾図柄変動演出の一例である。また、仮停止とは、装飾図柄が一見すると停止しているように見えるが、完全に停止せず例えば装飾図柄が僅かに動いている状態のことである。
【０１４３】
画像／音響制御部３１０は、リーチ有り演出の場合には、図２３に示すように、（２）左側の装飾図柄「５」を左図柄停止位置１１４ａに仮停止表示した後、（５）右側の装飾図柄「５」を右図柄停止位置１１４ｂに仮停止表示し、これら左側および右側の装飾図柄を揃えたリーチ状態とする装飾図柄変動演出を行う。その後、画像／音響制御部３１０は、大当たりに当選していない場合には、（６）中央の装飾図柄「６」を中図柄停止位置１１４ｃに仮停止表示し、その後、仮停止表示した３つの装飾図柄を停止表示する装飾図柄変動演出を行う。他方、画像／音響制御部３１０は、大当たりに当選している場合には、（７）中央の装飾図柄「５」を中図柄停止位置１１４ｃに仮停止表示し、その後、仮停止表示した３つの装飾図柄を停止表示する装飾図柄変動演出を行う。
以下では、リーチ状態になった後に、後述するＳＰリーチ演出やＳＰ・ＳＰリーチ演出などの発展演出を行うことなく、両側の装飾図柄とは異なる装飾図柄であって大当たりに当選していないことを示す装飾図柄を中央に停止表示する演出を「通常リーチ演出」と称す。例えば、通常リーチ演出における装飾図柄変動演出は、図２３で（１）、（２）、（５）、（６）と遷移する演出である。
【０１４４】
または、画像／音響制御部３１０は、図２３に示すように、（５）右側の装飾図柄「５」を右図柄停止位置１１４ｂに仮停止表示してリーチ状態とした後、（８）左側および右側の装飾図柄「５」「５」を画像表示領域の隅へ移動して縮小表示する装飾図柄変動演出を行う。その後、画像／音響制御部３１０は、（９）発展演出であるスーパーリーチ（ＳＰリーチ）演出を行う。ＳＰリーチ演出においては、画像／音響制御部３１０は、ＳＰリーチ演出に特有の大当たり期待度が異なる複数種類の演出のいずれかを行う。その後、画像／音響制御部３１０は、大当たりに当選していない場合には、ＳＰリーチ演出の終了をもって、（１０）中央の装飾図柄「６」を中図柄停止位置１１４ｃに仮停止表示し、その後、仮停止表示させた３つの装飾図柄を停止表示する装飾図柄変動演出を行う。他方、画像／音響制御部３１０は、大当たりに当選している場合には、（１１）中央の装飾図柄「５」を中図柄停止位置１１４ｃに仮停止表示し、その後、仮停止表示した３つの装飾図柄を停止表示する装飾図柄変動演出を行う。なお、ＳＰリーチ演出は、基本的に、上述した通常リーチ演出よりも、演出時間が長い演出である。
【０１４５】
または、画像／音響制御部３１０は、図２４に示すように、（１）３つの装飾図柄を変動開始し、（２）左側の装飾図柄「５」を左図柄停止位置１１４ａに仮停止表示し、（５）右側の装飾図柄「５」を右図柄停止位置１１４ｂに仮停止表示してリーチ状態とした後、（１２）左側および右側の装飾図柄「５」「５」を画像表示領域の隅へ移動して縮小表示する装飾図柄変動演出を行った後、（１３）発展演出であるスーパー・スーパーリーチ（ＳＰ・ＳＰリーチ）演出を行う。画像／音響制御部３１０は、ＳＰ・ＳＰリーチ演出において、ＳＰ・ＳＰリーチ演出に特有の大当り期待度が異なる複数種類の演出のいずれかを行う。なお、ＳＰ・ＳＰリーチ演出は、基本的に、ＳＰリーチ演出よりも、演出時間が長い演出である。
【０１４６】
または、画像／音響制御部３１０は、（５）右側の装飾図柄「５」を右図柄停止位置１１４ｂに仮停止表示し、リーチ状態とした後、（８）左側および右側の装飾図柄「５」「５」を画像表示領域の隅へ移動して縮小表示する装飾図柄変動演出を行った後、先ず、（９）発展演出であるＳＰリーチ演出を行う。そして、画像／音響制御部３１０は、ＳＰリーチ演出の終了をもって、（１０）中央の装飾図柄「６」を中図柄停止位置１１４ｃに仮停止した後、再始動し、（１２）左側および右側の装飾図柄「５」「５」を画像表示領域の隅へ移動して縮小表示する装飾図柄変動演出を行った後、（１３）ＳＰ・ＳＰリーチ演出を行う。その後、画像／音響制御部３１０は、大当たりに当選していない場合には、（１４）中央の装飾図柄「６」を中図柄停止位置１１４ｃに仮停止表示し、その後、仮停止表示した３つの装飾図柄を停止表示する装飾図柄変動演出を行う。他方、画像／音響制御部３１０は、大当たりに当選している場合には、（１５）中央の装飾図柄「５」を中図柄停止位置１１４ｃに仮停止表示し、その後、仮停止表示した３つの装飾図柄を停止表示する装飾図柄変動演出を行う。
【０１４７】
（疑似連続演出）
他の演出態様として、画像／音響制御部３１０は、疑似連続演出を行う。疑似連続演出における装飾図柄変動演出は、特別図柄の一変動分の変動表示において、複数回分の装飾図柄の変動表示が行われているかのように見せる演出である。疑似連続演出においては、画像／音響制御部３１０は、例えばリーチ状態とする前に、３つの装飾図柄を変動開始した後、３つの装飾図柄を一旦仮停止し、その後再び３つの装飾図柄の変動表示を開始する。
【０１４８】
（演出ボタン１６１を用いた装飾図柄変動演出の具体例）
図２５は、演出ボタン１６１を用いた装飾図柄変動演出の具体例について説明する図である。
画像／音響制御部３１０は、図２５の（１３）に示すようにＳＰ・ＳＰリーチ演出を行っているときに、所定のタイミングで、（１３−１）に示すように画像表示部１１４に所定のボタンマーク画像１１４ｄを表示して演出ボタン１６１の押下を促す。そして、画像／音響制御部３１０は、ボタンマーク画像１１４ｄを表示後所定期間内に、演出制御部３００から取得した演出ボタンコマンド（図２２のＳ３３０２参照）を取得して演出ボタン１６１が遊技者により押されたことを認識した場合には、（１３−２）に示すようにボタンマーク画像１１４ｄを消すとともに所定のカットイン画像１１４ｅを画像表示部１１４に一時的に表示する。他方、画像／音響制御部３１０は、ボタンマーク画像１１４ｄを表示後所定期間内に演出ボタン１６１が押されたことを認識しなかった場合には、カットイン画像１１４ｅを表示せずに、所定期間経過した後にボタンマーク画像１１４ｄを消す。
その後、画像／音響制御部３１０は、大当たりに当選していない場合には、（１４）特別図柄抽選の抽選結果がはずれであることを示す装飾図柄の組み合わせ「５６５」を表示する。他方、画像／音響制御部３１０は、大当たりに当選している場合には、（１５）特別図柄抽選の抽選結果が大当たりであることを示す装飾図柄の組み合わせ「５５５」を表示する。
なお、カットイン画像１１４ｅとは、装飾図柄の変動表示の画像やＳＰ・ＳＰリーチ演出の画像とは別に、一時的に表示される画像である。画像／音響制御部３１０は、カットイン画像１１４ｅを、画像表示部１１４の画面全体に表示してもいいし、画面の一部に表示してもいい。
【０１４９】
（演出キー１６２を用いた装飾図柄変動演出の具体例）
図２６は、演出キー１６２を用いた装飾図柄変動演出の具体例について説明する図である。
画像／音響制御部３１０は、例えば、図２６の（１）に示すように３つの装飾図柄を縦スクロールにて変動表示した後、所定のタイミングで、図２６の（１−１）に示すように、画像表示部１１４にキャラクタの顔の画像である顔画像１１４ｆを３人分表示するとともに、文字「キャラクタを選択せよ」を表示する。また、画像／音響制御部３１０は、図２６の（１−１）に示すように、画面の下部に演出キー１６２を表示するとともに、左側キー１６２ｂおよび右側キー１６２ｄを強調させ、３人のキャラクタの内のいずれかを特定する際には、左側キー１６２ｂまたは右側キー１６２ｄを押下することを促す。なお、最初に３人のキャラクタを表示したときには、図２６の（１−１）に示すように、現在最も左側のキャラクタの顔画像１１４ｆが選択されていることを報知するべく最も左側のキャラクタの顔画像１１４ｆが枠１１４ｇで囲まれている。そして、画像／音響制御部３１０は、３人のキャラクタの顔画像１１４ｆを表示後所定期間内に、演出制御部３００から取得した演出ボタンコマンド（図２２のＳ３３０２参照）を取得して演出キー１６２の右側キー１６２ｄが遊技者により例えば２回押されたことを認識した場合には、（１−２）に示すように、選択されている顔画像１１４ｆを報知する枠１１４ｇの位置を右に２つ移動し、最も右側のキャラクタの顔画像１１４ｆを枠１１４ｇで囲む。そして、３人のキャラクタの顔画像１１４ｆを表示後所定期間経過後に、（１−３）および（１−４）に示すように、枠１１４ｇで囲まれた顔画像１１４ｆのキャラクタをその後に行う演出に登場させ、装飾図柄変動演出を継続する。
【０１５０】
（変動演出パターンの設定例）
次に、本実施の形態における、図１２に示した変動パターンに対応づけられる、変動演出パターンの設定例について説明する。
本実施の形態では、変動演出パターンとして、上述したとおり、リーチ無し演出と、通常リーチ演出と、ＳＰリーチ演出と、ＳＰ・ＳＰリーチ演出とが設けられている。これらの変動演出パターンは、変動パターンＡ〜Ｋ（図１２参照）に対応付けられる。
そして、本実施の形態では、変動時間が比較的長い変動パターンＡ、Ｅの場合に、演出時間が比較的長いＳＰ・ＳＰリーチ演出を実行可能に設定している。変動時間が次に長い変動パターンＢ，Ｃ，Ｆ，Ｇの場合に、演出時間が次に長いＳＰリーチ演出を実行可能に設定している。また、演出時間が比較的短い変動パターンＤ，Ｈの場合に、演出時間が比較的短い通常リーチ演出を実行可能にしている。そして、変動パターンＩ，Ｊ，Ｋの場合には、リーチ無し演出が実行されるようにしている。
【０１５１】
ここで、判定結果が大当たりの場合には、９０秒〜１５秒の変動時間（変動パターンＡ〜Ｄ）に設定される。そして、大当たりに当選した場合には、変動時間が長くなるように設定されている。すなわち、変動時間がより長い方が、大当たりの期待度がより高くなるように設定されている。従って、本実施の形態では、リーチ無し演出、通常リーチ演出、ＳＰリーチ演出、ＳＰ・ＳＰリーチ演出の順に、大当たりの期待度が高くなっている。
【０１５２】
なお、本実施の形態では、図示を省略しているが、変動演出パターン選択処理に用いられる変動演出パターンの設定として、遊技状態が低確率時短遊技状態もしくは高確率時短遊技状態の場合に選択される変動演出パターンも存在する。そして、それらの変動演出パターンを選択する際に参照される時短状態用の変動演出パターンテーブルが設けられており、時短無状態用の変動演出パターンテーブルとは異なる設定内容となっている。さらに、第２始動口１２２に遊技球が入賞する場合に関して、変動演出パターン選択処理において選択される変動演出パターンの設定のテーブルが個別に設けられてもよいし、第１始動口１２１に遊技球が入賞した場合に参照するテーブルを共用して参照するようにしても良い。
【０１５３】
また、本実施の形態の演出制御部３００および画像／音響制御部３１０は、大当たり遊技のエンディング動作を行う。演出制御部３００は、選択したエンディング演出パターンによる演出を指示するエンディング演出開始コマンドをＲＡＭ３０３にセットする。そして、エンディング演出開始コマンドを取得した画像／音響制御部３１０は、選択されたエンディング演出パターンによる演出に用いられる画像データや音響データをＲＯＭ３０２から読み出して、所定期間に亘ってエンディング演出を行う。
【０１５４】
また、本実施の形態の演出制御部３００および画像／音響制御部３１０は、パチンコ遊技機１００が客待ち状態（特別図柄の変動が停止しており、かつ、保留が無い状態）である場合に客待ち用のデモ演出を行う。演出制御部３００は、予め定められたデモ演出用のデモムービー画像を、所定のタイミングで開始させるとともに所定の周期で繰り返し表示させる旨の指示を含んだ客待ち演出コマンドをＲＡＭ３０３にセットする（図２１のＳ３２０７）。そして、客待ち演出コマンドを取得した画像／音響制御部３１０は、所定のタイミングでデモムービー画像を画像表示部１１４に表示開始するとともに、デモムービー画像を表示し終えた後、所定期間が経過したら、２回目のデモムービー画像の表示を行う。
なお、所定のタイミングは、客待ちコマンド受信から９０秒経過後であることを例示することができる。また、所定の周期は、５分であることを例示することができる。
【０１５５】
（音量調整について）
図２７（ａ）は、音量切替スイッチ１６３の概略図である。図２７（ａ）は、本実施の形態に係るパチンコ遊技機１００を後側から見た図である。
遊技盤１１０の裏面には、スピーカ１５６から発せられる音の大きさである音量（ボリューム）を調整する音量切替スイッチ１６３が取り付けられている。音量切替スイッチ１６３は、周知のスライド式のスイッチである。パチンコ遊技機１００は、音量切替スイッチ１６３のつまみ１６３ａの位置に応じて、音量（ボリューム）を、ハードウェアにより、小音量、中音量、大音量の３段階に調整することが可能になっている。より具体的には、本実施の形態に係るパチンコ遊技機１００は、音量切替スイッチ１６３のつまみ１６３ａが図２７（ａ）に示した「１」、「２」、「３」のいずれかの位置に設定されている場合には、音量を、それぞれ小音量、中音量、大音量に設定する。
このように、音量切替スイッチ１６３は、演出制御部３００が構成された演出制御基板上に直接搭載されるハードウェアボリュームのスイッチとして機能する。
【０１５６】
図２７（ｂ）は、音量切替スイッチ１６３のつまみ１６３ａの位置と音量の初期値との関係を示す図である。
本実施の形態に係るパチンコ遊技機１００は、音量をソフトウェアによっても調整することが可能である。演出制御部３００は、音量を、第１音量〜第１０音量の１０段階で調整可能である。そして、演出制御部３００は、音量の初期値を、音量切替スイッチ１６３のつまみ１６３ａの位置に応じて予め定められた初期値に設定する。例えば、演出制御部３００は、音量切替スイッチ１６３のつまみ１６３ａが図２７（ａ）に示した「１」の位置に設定されている場合には、音量の初期値を、小音量の初期値として予め定められた第１音量に設定する。また、演出制御部３００は、音量切替スイッチ１６３のつまみ１６３ａが図２７（ａ）に示した「２」の位置に設定されている場合には、音量の初期値を、中音量の初期値として予め定められた第５音量に設定する。また、演出制御部３００は、音量切替スイッチ１６３のつまみ１６３ａが図２７（ａ）に示した「３」の位置に設定されている場合には、音量の初期値を、大音量の初期値として予め定められた第１０音量に設定する。
【０１５７】
また、本実施の形態に係るパチンコ遊技機１００は、演出ボタン１６１や演出キー１６２等の操作手段を介して、遊技者が音量を調整することができるように構成されている。例えば、遊技者が、演出キー１６２の右側キー１６２ｄを１回押下することにより音量が１段階上がる。他方、遊技者が、演出キー１６２の左側キー１６２ｂを１回押下することにより音量が１段階下がる。
言い換えれば、演出制御部３００は、演出キー１６２の右側キー１６２ｄが押されたことを認識した場合には、音量を１段階大きくするように設定変更する。他方、演出制御部３００は、演出キー１６２の左側キー１６２ｂが押されたことを認識した場合には、音量を１段階小さくするように設定変更する。例えば、演出制御部３００は、現在第５音量に設定している場合に、演出キー１６２の右側キー１６２ｄが押されたことを認識したときには第６音量に設定変更し、演出キー１６２の左側キー１６２ｂが押されたことを認識したときには第４音量に設定変更する。ただし、演出制御部３００は、現在第１０音量に設定している場合に、演出キー１６２の右側キー１６２ｄが押されたことを認識したとしても、現在最大音量であるので設定変更しない。また、演出制御部３００は、現在第１音量に設定している場合に、演出キー１６２の左側キー１６２ｂが押されたことを認識したとしても、現在最小音量であるので設定変更しない。
【０１５８】
また、本実施の形態に係る演出制御部３００は、音量が最大音量に設定されていない場合に、遊技者により演出ボタン１６１が押されたことを認識したときには、音量を、最大音量の第１０音量に設定変更する場合がある。例えば、演出制御部３００は、現在第５音量に設定している場合に、演出ボタン１６１が押されたことを認識したときには、第１０音量に設定変更する場合がある。
上述した、遊技者が演出ボタン１６１や演出キー１６２等の操作手段を介して音量を調整することができる期間については後述する。
【０１５９】
（光量調整について）
本実施の形態に係るパチンコ遊技機１００は、盤ランプ１１６、枠ランプ１５７等のランプや、画像表示部１１４の表示画面（例えば液晶ディスプレイ）の光量を、ハードウェアによってもソフトウェアによっても調整することが可能である。
上述した音量切替スイッチ１６３は、ハードウェアによって光量を調整するハードウェアスイッチとしても機能する。つまり、パチンコ遊技機１００は、音量切替スイッチ１６３のつまみ１６３ａが図２７（ａ）に示した左端の「エ」に設定されている場合のエコモードと、音量切替スイッチ１６３のつまみ１６３ａが図２７（ａ）に示した「１」、「２」、「３」のいずれかの位置に設定されているエコ解除モードの２段階に光量を調整することが可能になっている。
【０１６０】
パチンコ遊技機１００は、ソフトウェアによって、光量を、弱光量である第１光量、中光量である第２光量、強光量である第３光量の３段階に調整することが可能になっている。
なお、エコ解除モードにおいては、第３光量に設定されている場合の光量を１００％とした場合、第２光量、第１光量に設定されている場合の光量は、それぞれ５０％、１５％であることを例示することができる。
【０１６１】
また、エコモードにおける光量は以下の通りに設定されている。
ランプ制御部３２０が制御する盤ランプ１１６や枠ランプ１５７の照度は、エコ解除モードにおいて第３光量に設定されている場合を１００％とした場合に、エコモードにおいて第３光量に設定されている場合は８５％であることを例示することができる。また、画像／音響制御部３１０が制御する画像表示部１１４の表示画面が液晶ディスプレイである場合、液晶バックライトの輝度は、エコ解除モードにおいて第３光量に設定されているときを１００％とした場合に、エコモードにおいて第３光量に設定されているときは５０％であることを例示することができる。
エコモードにおいて第２光量、第１光量に設定されている場合の光量は、エコモードにおいて第３光量に設定されている場合の光量のそれぞれ５０％、１５％であってもよいし、エコ解除モードにおいて第２光量、第１光量に設定されている場合の光量とそれぞれ同じであってもよい。
なお、パチンコ遊技機１００は、ハードウェアスイッチがエコモードおよびエコ解除モードのどちらのモードであっても、ソフトウェアによる光量の初期値を、第３光量に設定することを例示することができる。ただし、パチンコ遊技機１００は、ソフトウェアによる光量の初期値を、第１光量または第２光量に設定してもよい。
【０１６２】
本実施の形態に係るパチンコ遊技機１００は、ハードウェアスイッチがエコモードに設定された場合であっても、第１特別図柄表示器２２１、第２特別図柄表示器２２２、第１特別図柄保留表示器２１８、第２特別図柄保留表示器２１９、普通図柄表示器２２３および普通図柄保留表示器２２０の照度を、盤ランプ１１６や枠ランプ１５７の照度と同じようには低下しない。つまり、本実施の形態に係るパチンコ遊技機１００は、遊技制御部２００が制御する特別図柄に係るランプ表示器および普通図柄に係るランプ表示器の照度を、ランプ制御部３２０が制御する盤ランプ１１６や枠ランプ１５７の照度と同じようには低下しない。エコ解除モードと同じ照度とするか、またはエコモードでの設定（８５％）よりも高い所定の照度に設定する。
この理由は、特別図柄、普通図柄に係るランプ表示器は、特別図柄抽選や普通図柄抽選の結果を遊技者に報知する、遊技者にとって極めて重要なランプ表示器であるからである。これらのランプ表示器が、照度が低下することにより見難くなると特別図柄抽選や普通図柄抽選の抽選結果の判別が困難になり、遊技者にとって不利益になるおそれがあるからである。
【０１６３】
また、本実施の形態に係るパチンコ遊技機１００は、ハードウェアスイッチがエコモードに設定された場合には、液晶バックライトの輝度を、客待ち状態である場合に限って低下させ、客待ち状態以外は低下させないようにする。または、客待ち状態以外は、客待ち状態での輝度よりも高い所定の輝度に設定する。
この理由は、画像表示部１１４における特別図柄抽選や普通図柄抽選に係る客待ち状態以外で実行される装飾図柄の変動表示等の演出画像も、特別図柄抽選や普通図柄抽選の抽選結果を遊技者に報知する、遊技者にとって極めて重要な表示であるからである。液晶バックライトの輝度が低下することにより装飾図柄の変動表示等の演出画像が見難くなると、遊技者が大当りや当りの判別が困難になり、遊技者にとって不利益になるおそれがある。
【０１６４】
また、本実施の形態に係るパチンコ遊技機１００は、ハードウェアスイッチがエコモードに設定され、客待ち状態であっても、後述するぱちログ関連画像を表示する場合は、液晶バックライトの輝度を低下させない。ぱちログ関連画像は、遊技者が自身の遊技履歴（例えば達成したミッション）等、個人データを閲覧する画面であるので、遊技者の関心度が高いためである。
【０１６５】
以上のことに鑑み、演出制御部３００は、ハードウェアスイッチがエコモードに設定されている場合には、例えば客待ちコマンド受信から９０秒経過後に開始するデモムービー画像を開始するときから液晶バックライトの輝度を低下させてもよい。その後、ぱちログ関連画面を表示するときや変動開始コマンドを受信したときに液晶バックライトの輝度を元に戻す。また、演出制御部３００は、ハードウェアスイッチがエコモードに設定されている場合であって遊技者の操作によりぱちログ関連画像を表示させた場合には、ぱちログ関連画像を表示し終えた後の次回のデモムービー画像から液晶バックライトの輝度を低下させてもよい。
【０１６６】
本実施の形態に係るパチンコ遊技機１００は、遊技者が、演出キー１６２を介して、光量を調整することができるように構成されている。例えば、遊技者が、演出キー１６２の右側キー１６２ｄを１回押下することにより光量が１段階上がる。他方、遊技者が、演出キー１６２の左側キー１６２ｂを１回押下することにより光量が１段階下がる。
言い換えれば、演出制御部３００は、演出キー１６２の右側キー１６２ｄが押下されたことを認識した場合には、ソフトウェアによる光量を１段階大きくするように設定変更する。他方、演出制御部３００は、演出キー１６２の左側キー１６２ｂが押下されたことを認識した場合には、ソフトウェアによる光量を１段階小さくするように設定変更する。例えば、演出制御部３００は、現在第２光量に設定している場合に、演出キー１６２の右側キー１６２ｄが押されたことを認識したときには第３光量に設定変更し、演出キー１６２の左側キー１６２ｂが押されたことを認識したときには第１光量に設定変更する。ただし、演出制御部３００は、現在第３光量に設定している場合に、演出キー１６２の右側キー１６２ｄが押されたことを認識したとしても、現在最大光量であるので設定変更しない。また、演出制御部３００は、現在第１光量に設定している場合に、演出キー１６２の左側キー１６２ｂが押されたことを認識したとしても、現在最小光量であるので設定変更しない。
【０１６７】
なお、音量切替スイッチ１６３のつまみ１６３ａが図２７（ａ）に示した左端の「エ」に設定されると、音量は、つまみ１６３ａが図２７（ａ）に示した右端の「３」に設定されている場合と同様に大音量に設定される。例えば、演出制御部３００は、音量切替スイッチ１６３のつまみ１６３ａが図２７（ａ）に示した「エ」の位置に設定されている場合には、音量の初期値を、エコモードの大音量の初期値として予め定められた第１０音量に設定する。
【０１６８】
（調整可能期間）
遊技者が音量および光量を調整することができる期間について説明する。
本実施の形態に係るパチンコ遊技機１００においては、客待ち状態（特別図柄の変動が停止しており、かつ、保留が無い状態）である場合に、遊技者が演出ボタン１６１や演出キー１６２等の操作手段を介して音量および光量を調整することができる。演出制御部３００は、客待ちコマンドを受信した後、事前判定結果コマンドおよび保留数増加コマンドを受信するまでの間、演出ボタン１６１や演出キー１６２等の操作手段を介して遊技者が音量および光量を調整するための操作を行うのを受け付けるとともに、遊技者の操作に応じて音量および光量を設定変更する。
【０１６９】
図２８は、画像表示部１１４に示された調整機能画像１１４ｈを示す図である。
本実施の形態に係るパチンコ遊技機１００においては、客待ち状態である場合に、遊技者が演出キー１６２の左側キー１６２ｂまたは右側キー１６２ｄを押下したときには、図２８に示した音量・光量調整を可能とする調整機能画像１１４ｈを画像表示部１１４の中央部に表示する。言い換えると、演出制御部３００は、パチンコ遊技機１００が客待ち状態である場合に、演出キー１６２の左側キー１６２ｂまたは右側キー１６２ｄが押下されたことを認識した場合には、図２８に示した調整機能画像１１４ｈを画像表示部１１４の中央部に表示させる。
なお、本実施の形態では、画像表示部１１４の画面に表示するための画像レイヤに関して、図２８に示した調整機能画像１１４ｈを描画する画像レイヤは、装飾図柄変動演出を描画する画像レイヤ（デモムービー画像を描画する画像レイヤも同じ）よりも上位（遊技者側）に位置している。つまり、図２８に示した調整機能画像１１４ｈは、図２８に示すように、装飾図柄よりも遊技者側である手前側に表示される。
【０１７０】
図２８に示すように、調整機能画像１１４ｈには、現在設定されている音量および光量の段階が、それぞれメモリで表示されているとともに数字で表示されている。メモリにおいては、全段階（音量は１０段階、光量は３段階）の数（音量は１０、光量は３）と同数の四角が表示されており、その内、現在設定されている音量および光量の段階分の四角がそれぞれ例えば緑色、黄色にされ、他の四角は黒色にされる。図２８に示した「調整機能画像１１４ｈにおいては、現在第７音量に設定されていることを報知するべく、文字「音量」が表示された部位の直ぐ下に表示された１０個の四角の内、７個の四角が例えば緑色にされて３個の四角が黒色にされているとともに、四角の右側に数字「７」が表示されている。また、図２８に示した調整機能画像１１４ｈにおいては、現在第２光量に設定されていることを報知するべく、文字「光量」が表示された部位の直ぐ下に表示された３個の四角の内、２個の四角が例えば黄色にされて１個の四角が黒色にされているとともに、四角の右側に数字「２」が表示されている。
【０１７１】
また、図２８に示した調整機能画像１１４ｈにおいては、文字「音量」の左側に矢印「→」が表示されている。この矢印「→」は、音量および光量の内、音量が選択されていることを報知するものであり、演出キー１６２を操作することにより音量を調整することが可能な状態であることを報知するものである。演出キー１６２を操作することにより調整可能なものとして光量が選択されている場合には、文字「光量」の左側に矢印「→」が表示される。
演出制御部３００は、図２８に示した調整機能画像１１４ｈのように矢印「→」を文字「音量」の左側に表示させている場合に、演出キー１６２の上側キー１６２ａまたは下側キー１６２ｃが１回押下されたときには、矢印「→」を文字「光量」の左側に移動させる。これにより、遊技者は、光量を調整可能な状態にすることができる。他方、演出制御部３００は、矢印「→」を文字「光量」の左側に表示させている場合に、演出キー１６２の上側キー１６２ａまたは下側キー１６２ｃが１回押下されたときには、矢印「→」を文字「音量」の左側に移動させる。これにより、遊技者は、音量を調整可能な状態にすることができる。
【０１７２】
そして、遊技者は、矢印「→」が文字「音量」の左側に表示されているときに、演出キー１６２の左側キー１６２ｂまたは右側キー１６２ｄを押下することにより、音量を調整することができる。言い換えれば、演出制御部３００は、矢印「→」を文字「音量」の左側に表示させているときに、演出キー１６２の左側キー１６２ｂまたは右側キー１６２ｄが押されたことを認識した場合には、上述したように、音量を１段階大きくまたは小さくするように設定変更する。また、演出制御部３００は、音量を設定変更した場合には、設定変更したことを報知するためにスピーカ１５６を介して音を鳴動させる。鳴動させる音は、設定された音量の段階に応じた音であることを例示することができる。例えば、音量の段階が大きいほど、鳴動させる音が高いことを例示することができる。演出制御部３００は、もし、音量が最大音量の第１０音量に設定されている場合に、演出キー１６２の右側キー１６２ｄが押下されたとしても、第１０音量に設定された音を鳴動させる。
【０１７３】
他方、遊技者は、矢印「→」が文字「光量」の左側に表示されているときに、演出キー１６２の左側キー１６２ｂまたは右側キー１６２ｄを押下することにより、光量を調整することができる。言い換えれば、演出制御部３００は、矢印「→」を文字「光量」の左側に表示させているときに、演出キー１６２の左側キー１６２ｂまたは右側キー１６２ｄが押されたことを認識した場合には、上述したように、光量を１段階大きくまたは小さくするように設定変更する。また、演出制御部３００は、光量を設定変更した場合には、設定変更したことを報知するためにスピーカ１５６を介して音を鳴動させる。鳴動させる音は、設定された光量の段階に応じた音であることを例示することができる。例えば、光量の段階が大きいほど、鳴動させる音が高いことを例示することができる。
なお、演出制御部３００は、図２８に示した調整機能画像１１４ｈを、演出キー１６２が最後に押下されたときから３秒経過後に画像表示部１１４から消させる。
【０１７４】
図２９は、画像表示部１１４に示されたトップメニュー画像を示す図である。
本実施の形態に係るパチンコ遊技機１００においては、客待ち状態である場合に、遊技者が演出キー１６２の上側キー１６２ａまたは下側キー１６２ｃを押下したときには、図２９に示したトップメニュー画像１１４ｉを画像表示部１１４の中央部に表示する。言い換えると、演出制御部３００は、パチンコ遊技機１００が客待ち状態である場合に、演出キー１６２の上側キー１６２ａまたは下側キー１６２ｃが押されたことを認識した場合には、画像表示部１１４に、図２９に示したトップメニュー画像１１４ｉを表示させる。図２９に示すように、トップメニュー画像１１４ｉには、文字「ぱちログ」、文字「実機カスタマイズ」、文字「パチンコ講座」、文字「戻る」が表示される。遊技者は、画像表示部１１４に、図２９に示したトップメニュー画像１１４ｉが表示されているときに、演出キー１６２の上側キー１６２ａ、下側キー１６２ｃを操作することにより、文字「ぱちログ」、文字「実機カスタマイズ」、文字「パチンコ講座」、文字「戻る」の選択を変更することが可能である。そして、遊技者は、演出ボタン１６１を押下することにより、選択項目を決定することが可能である。
図２９に示したトップメニュー画像１１４ｉにおいては、文字「ぱちログ」が選択されていることを報知するべく文字「ぱちログ」が枠１１４ｇで囲まれている。遊技者が演出ボタン１６１の下側キー１６２ｃを１回押下した場合には、枠１１４ｇが下方へ１つ移動し、選択対象が変更されたことを報知する。他方、遊技者が演出ボタン１６１の上側キー１６２ａを１回押下した場合には、枠１１４ｇが上方へ１つ移動し、選択対象が変更されたことを報知する。
【０１７５】
そして、演出制御部３００は、トップメニュー画像１１４ｉを表示させている場合に、「ぱちログ」が選択されて演出ボタン１６１が押下されると、ぱちログに関連した所定のぱちログ関連画像を表示させる。ぱちログ関連画像としては、ぱちログへの新規登録方法を説明する画像、ログインメニューの画像（パスワード入力画像）、遊技者個人の遊技履歴等を表示する画像を例示することができる。なお、ぱちログとは、本実施の形態に係るパチンコ遊技機１００等のパチンコ実機やパチスロ実機と、スマートフォンアプリが連動したサービスである。例えばＱＲコード（登録商標）を使用することによって、遊技者は、ぱちログ対応機種での遊技履歴をサーバに記憶することが可能である。
【０１７６】
また、演出制御部３００は、トップメニュー画像１１４ｉを表示させている場合に、「実機カスタマイズ」が選択されて演出ボタン１６１が押下されると、画像表示部１１４に表示する画像の色、字体、背景画像やスピーカ１５６から出力する音楽等をカスタマイズするための画像を表示させる。
また、演出制御部３００は、トップメニュー画像１１４ｉを表示させている場合に、「パチンコ講座」が選択されて演出ボタン１６１が押下されると、パチンコの遊技の方法を説明するための画像を表示させる。
また、演出制御部３００は、トップメニュー画像１１４ｉを表示させている場合に、「戻る」が選択されて演出ボタン１６１が押下されると、トップメニュー画像１１４ｉを表示させる前の状態に戻す。
【０１７７】
本実施の形態に係るパチンコ遊技機１００では、画像表示部１１４の画面に表示するための画像レイヤに関して、図２９に示したトップメニュー画像１１４ｉを描画する画像レイヤは、装飾図柄変動演出を描画する画像レイヤよりも上位（遊技者側）に位置している。つまり、図２９に示したトップメニュー画像１１４ｉは、図２９に示すように、装飾図柄よりも遊技者側である手前側に表示される。また、図２９に示したトップメニュー画像１１４ｉを描画する画像レイヤは、図２８に示した調整機能画像１１４ｈを描画する画像レイヤよりも下位（遊技者とは反対側）に位置している。つまり、図２８に示した調整機能画像１１４ｈは、図２９に示したトップメニュー画像１１４ｉよりも遊技者側である手前側に表示される。
【０１７８】
そして、本実施の形態に係るパチンコ遊技機１００においては、客待ち状態である場合であっても、ぱちログ関連画像を表示しているときには、遊技者が演出キー１６２の左側キー１６２ｂまたは右側キー１６２ｄを介して音量および光量を調整することができないように構成されている。図２８に示した調整機能画像１１４ｈがぱちログ関連画像よりも遊技者側である手前側に表示されるため、遊技者がぱちログ関連画像を見難くなるためである。
【０１７９】
図３０は、客待ち状態である場合に画像表示部１１４に表示される、音量・光量を調整可能であることを示唆する示唆画像の図である。
本実施の形態に係るパチンコ遊技機１００においては、客待ち状態である場合に、図３０に示すような、音量・光量を調整可能であることを示唆する示唆画像１１４ｊが画像表示部１１４の下部に表示される。言い換えれば、演出制御部３００は、パチンコ遊技機１００が客待ち状態である場合に、図３０に示した示唆画像１１４ｊを画像表示部１１４の下部に表示させる。図３０に示した示唆画像１１４ｊにおいては、演出キー１６２の左側キー１６２ｂおよび右側キー１６２ｄの模式図を強調させ、左側キー１６２ｂまたは右側キー１６２ｄを押下することで音量・光量調整が可能であることを示唆する。また、図３０に示した示唆画像１１４ｊにおいては、演出キー１６２の上側キー１６２ａおよび下側キー１６２ｃの模式図を強調させ、上側キー１６２ａまたは下側キー１６２ｃを押下することでトップメニュー画像１１４ｉを表示することを示唆する。
【０１８０】
図３１は、客待ち状態である場合であって第１０音量に設定されていない場合に画像表示部１１４に表示する画像の図である。
本実施の形態に係るパチンコ遊技機１００においては、客待ち状態である場合であって第１０音量に設定されていない場合に、所定のタイミングで、図３１に示すような、簡易に最大音量にするための方法を説明する説明画像１１４ｋが画像表示部１１４に表示される。言い換えれば、演出制御部３００は、パチンコ遊技機１００が客待ち状態である場合であって第１０音量に設定されていない場合に、所定のタイミングで、図３１に示した説明画像１１４ｋを画像表示部１１４の中央に表示させる。図３１に示した説明画像１１４ｋにおいては、演出ボタン１６１の形状を模した画像が画面中央に表示されているとともに、その下に、文字「ボタンを押すと音量が最大になります。」が表示されている。
図３１に示した説明画像１１４ｋを表示する所定のタイミングは、（１）トップメニュー画像１１４ｉを表示し終えたとき（トップメニュー画像１１４ｉに表示された文字「戻る」が選択されて演出ボタン１６１が押下されたとき）、（２）デモムービー画像の再生を終えたとき、言い換えればデモムービー画像の再生を終え、次回のデモムービー画像を開始する前、であることを例示することができる。
【０１８１】
図３２は、演出ボタン１６１が押された場合に画像表示部１１４に表示する画像の図である。
本実施の形態に係るパチンコ遊技機１００においては、図３１に示した説明画像１１４ｋを画像表示部１１４に表示しているときに、演出ボタン１６１が押された場合には、図３２に示した、最大音量である第１０音量に設定変更された旨を報知する報知画像１１４ｍを画像表示部１１４に表示するとともに最大音量に設定変更する。言い換えれば、演出制御部３００は、図３１に示した説明画像１１４ｋを画像表示部１１４に表示させているときに、演出ボタン１６１が押されたことを認識した場合には、図３２に示した報知画像１１４ｍを画像表示部１１４に表示させるとともに最大音量に設定変更する。図３２に示した報知画像１１４ｍにおいては、文字「音量」が表示された部位の直ぐ下に表示された１０個の四角が全て例えば緑色にされているとともに、四角の右側に数字「１０」が表示されている。また、例えば緑色にされた四角および数字「１０」の上に、文字「最大音量」が表示されている。
【０１８２】
このように、本実施の形態に係るパチンコ遊技機１００は、図３１に示した説明画像１１４ｋを画像表示部１１４に表示しているときに、演出ボタン１６１が押された場合には、画像表示部１１４に、最大音量に設定変更されたことを報知する図３２に示した報知画像１１４ｍを表示する。つまり、パチンコ遊技機１００は、演出ボタン１６１が押されたことに起因して最大音量に設定変更する場合には、画像表示部１１４に、最大音量に設定変更した結果のみを表示し、音量が段階的に大きくなっていく様子は表示しない。
【０１８３】
これに対して、本実施の形態に係るパチンコ遊技機１００は、図２８に示した、矢印「→」が文字「音量」の左側に表示されている調整機能画像１１４ｈを画像表示部１１４に表示しているときに、右側キー１６２ｄが１回押された場合には、音量を１段階大きくしたことを報知する画像を表示する。例えば、パチンコ遊技機１００は、図２８に示したように現在第７音量に設定されていることを報知する画像を画像表示部１１４に表示しているときに、右側キー１６２ｄが１回押された場合には、第８音量に設定変更したことを報知するために、１０個の四角の内、例えば緑色にされている四角の数を１個増加する（８個にする）とともに四角の右側の数字を「８」と表示する。そして、さらに右側キー１６２ｄが１回押された場合には、パチンコ遊技機１００は、音量を１段階大きくしたことを報知するために、１０個の四角の内、例えば緑色にされている四角の数を１個増加する（９個にする）とともに四角の右側の数字を「９」と表示する。そして、パチンコ遊技機１００は、さらに右側キー１６２ｄが１回押された場合には、最大音量にしたことを報知するために、図３２に示した報知画像１１４ｍを画像表示部１１４に表示する。
このように、本実施の形態に係るパチンコ遊技機１００は、右側キー１６２ｄが押されたことに起因して音量を大きくする場合には、音量を大きくするたびに、音量が１段階大きくなったことを画像表示部１１４に表示する。
【０１８４】
また、本実施の形態に係るパチンコ遊技機１００は、図３１に示した説明画像１１４ｋを画像表示部１１４に表示していないときであっても、客待ち状態である場合であって最大音量に設定されていない場合に演出ボタン１６１が押されたことを認識したときには、図３２に示した報知画像１１４ｍを画像表示部１１４に表示するとともに最大音量に設定変更してもよい。つまり、演出制御部３００は、図３１に示した説明画像１１４ｋを画像表示部１１４に表示させていないときであっても、客待ち状態である場合であって最大音量に設定されていない場合に演出ボタン１６１が押されたことを認識したときには、図３２に示した報知画像１１４ｍを画像表示部１１４に表示させるとともに最大音量に設定変更してもよい。
なお、図３２に示した報知画像１１４ｍは、表示開始後、所定期間（例えば２秒間）に亘って表示されることを例示することができる。
【０１８５】
また、演出制御部３００は、演出ボタン１６１が押されたことを認識して最大音量に設定変更する場合に、最大音量となったことを報知するためにスピーカ１５６を介して専用の効果音を鳴動させる。専用の効果音は、例えば「ポーン」というはずむ音であることを例示することができる。
また、演出制御部３００は、演出ボタン１６１が押されたこと認識して最大音量に設定変更した後に、再度演出ボタン１６１が押されたことを認識した場合には、既に最大音量となっていることを報知するために、スピーカ１５６を介して専用の鈍い音を鳴動させる。専用の鈍い音は、例えば「ガシャ」などの低い音であることを例示することができる。
【０１８６】
なお、本実施の形態では、画像表示部１１４の画面に表示するための画像レイヤに関して、図３１に示した説明画像１１４ｋを描画する画像レイヤは、図２８に示した調整機能画像１１４ｈを描画する画像レイヤ（図３２に示した報知画像１１４ｍを描画する画像レイヤも同じ）よりも下位（遊技者とは反対側）であって、図２９に示したトップメニュー画像１１４ｉを描画する画像レイヤよりも上位（遊技者側）に位置していることを例示することができる。
また、本実施の形態では、客待ち状態である場合に図３１に示した説明画像１１４ｋを一旦表示した場合には、最大音量となるまで説明画像１１４ｋを表示し続けることを例示することができる。ただし、次回のデモムービー画像が表示されたときには、説明画像１１４ｋを消してもよい。
以上のことより、図３１に示した説明画像１１４ｋが表示されているときに、遊技者が演出キー１６２の左側キー１６２ｂまたは右側キー１６２ｄを押下したことに起因して調整機能画像１１４ｈが表示された場合には、説明画像１１４ｋと調整機能画像１１４ｈとが重ねて表示され、説明画像１１４ｋよりも遊技者側である手前側に調整機能画像１１４ｈが表示される。
また、デモムービー画像の再生を終えた後であって次回のデモムービー画像を開始する前に説明画像１１４ｋを表示するときに、すでに例えばぱちログ関連画像が表示されている場合には、ぱちログ関連画像と説明画像１１４ｋとが重ねて表示され、ぱちログ関連画像よりも遊技者側である手前側に説明画像１１４ｋが表示される。
【０１８７】
図３３は、遊技者が音量および光量を調整することができる期間を示す図である。
本実施の形態に係るパチンコ遊技機１００は、客待ち状態であるとき以外、例えば特別図柄の変動中や大当たり遊技中やエンディング演出中であるときにも、遊技者が演出キー１６２を操作することにより音量および光量を調整することができるように構成されている。
演出制御部３００は、特別図柄の変動中や大当たり遊技中であるときにも、遊技者が音量および光量を調整するための演出キー１６２の操作を受け付けるとともに、遊技者の操作に応じて音量および光量を設定変更する。例えば、演出制御部３００は、パチンコ遊技機１００が特別図柄の変動中や大当たり遊技中やエンディング演出中である場合に、演出キー１６２の左側キー１６２ｂまたは右側キー１６２ｄが押されたことを認識した場合には、画像表示部１１４に、図２８に示した調整機能画像１１４ｈを表示させる。そして、演出制御部３００は、図２８に示した調整機能画像１１４ｈを画像表示部１１４に表示させているときに、上述したように、演出キー１６２の上側キー１６２ａまたは下側キー１６２ｃが押下された場合には、矢印「→」を移動させるとともに調整可能な要素（音量または光量）を特定する。また、演出制御部３００は、図２８に示した調整機能画像１１４ｈを画像表示部１１４に表示させているときに、上述したように、演出キー１６２の左側キー１６２ｂ、右側キー１６２ｄが押下された場合には、特定された調整可能な要素（音量または光量）の段階を設定変更する。
【０１８８】
ただし、本実施の形態に係るパチンコ遊技機１００は、特別図柄の変動中であっても、特別図柄の変動開始後０．５秒間や、特別図柄の変動停止前の０．５秒間は、遊技者が音量および光量を調整することができないように構成されている。つまり、演出制御部３００は、変動開始コマンドを受信して変動演出開始後０．５秒間や、画像表示部１１４に表示させていた３つの装飾図柄を停止表示させる直前の０．５秒間に、遊技者による音量および光量を調整するための演出ボタン１６１や演出キー１６２の操作を受け付けないようにする。これは、図２８に示した調整機能画像１１４ｈが画像表示部１１４に表示されると、遊技者は、画像表示部１１４に表示される３つの装飾図柄の変動開始動作や装飾図柄の変動停止時の３つの装飾図柄の停止動作（確定動作）を認識することが困難となるためである。そのため、図２８に示した調整機能画像１１４ｈが、３つの装飾図柄の変動開始動作や停止動作（確定動作）を認識させることができないほど３つの装飾図柄を隠さないのであれば、特別図柄の変動開始後０．５秒間や変動停止前０．５秒間の期間内であっても音量および光量を調整することができるようにしてもよい。
【０１８９】
また、本実施の形態に係るパチンコ遊技機１００は、特別図柄の変動中であって、画像表示部１１４に表示される装飾図柄変動演出にて演出キー１６２の操作を受け付ける期間中（例えば、図２６の（１−１）参照）は、遊技者が音量および光量を調整することができないように構成されている。
また、本実施の形態に係るパチンコ遊技機１００は、図２８に示した調整機能画像１１４ｈが画像表示部１１４に表示されているときに、３つの装飾図柄の変動開始動作や停止動作（確定動作）が行われるときには、調整機能画像１１４ｈの表示を消す。
また、本実施の形態に係るパチンコ遊技機１００は、エラー音が鳴動しているときには遊技者が音量および光量を調整することができないように構成されている。このことは、客待ち状態、特別図柄の変動中、大当たり遊技中、エンディング演出中のいずれであるときも同様である。
【０１９０】
また、本実施の形態に係るパチンコ遊技機１００は、客待ち状態であるときに、音量切替スイッチ１６３が切り替えられた場合には、音量および光量を、直ちに、音量切替スイッチ１６３の位置に応じて予め定められた初期値に変更する。
また、本実施の形態に係るパチンコ遊技機１００は、客待ち状態であるときに、演出ボタン１６１や演出キー１６２が操作されない期間が１２０秒となった場合には、音量および光量を、音量切替スイッチ１６３の位置に応じて予め定められた初期値に変更（リセット）する。これにより、次の遊技者は、予め定められた初期値の状態で遊技を開始することができる。ただし、遊技状態が時短状態である場合には、同じ遊技者が継続して遊技すると考えられることから、演出ボタン１６１や演出キー１６２が操作されない期間が１２０秒となったとしても初期値に変更（リセット）しないようにしてもよい。
【０１９１】
以上、説明したように構成された本実施の形態に係るパチンコ遊技機１００は、遊技者にとって有利な特別遊技を行うか否かの判定結果に基づいて、図柄を変動表示させた後に前記判定結果を表す図柄で停止表示させる図柄制御手段の一例としての特別図柄変動制御部２３３と、前記変動表示中に、所定の演出を実行する演出実行手段の一例としての演出制御部３００と、を備えている。また、本実施の形態に係るパチンコ遊技機１００は、遊技者が操作可能な操作手段の一例としての演出ボタン１６１と、前記所定の演出において前記操作手段が操作された場合に、特定演出（例えばカットイン画像１１４ｅの表示）を実行可能な特定演出実行手段の一例としての演出制御部３００と、少なくとも前記所定の演出において音を出力する音出力手段の一例としてのスピーカ１５６と、を備えている。また、本実施の形態に係るパチンコ遊技機１００は、前記図柄の変動表示が実行されていないときに、演出ボタン１６１が操作された場合に、スピーカ１５６により出力する音量の設定を最大にする。
【０１９２】
これにより、遊技者は、演出ボタン１６１を押しさえすれば最大音量になるので、簡易に最大音量にすることができる。つまり、演出ボタン１６１が操作された場合に最大音量に設定する機能を備えていない場合には、遊技者は、演出キー１６２を操作することにより最大音量にしなければならない。それゆえ、例えば、第５音量に設定されている場合に、遊技者が演出キー１６２を操作することにより最大音量にする場合には、演出キー１６２の右側キー１６２ｄを少なくとも５回押さなければならない。これに対して、演出ボタン１６１が操作された場合に最大音量に設定する機能を備えている本実施の形態に係るパチンコ遊技機１００においては、例えば、第５音量に設定されている場合であっても演出ボタン１６１を１回押すだけで最大音量に設定することができる。
【０１９３】
＜変形例＞
上述した実施の形態においては、音量切替スイッチ１６３は、音量を、小音量、中音量、大音量の３段階に調整可能な例を示したが、特に３段階に限定されない。また、ソフトウェアによって、音量を、第１音量〜第１０音量の１０段階で調整可能な例を示したが、特に１０段階に限定されない。また、上述した実施の形態においては、図２７（ｂ）に示したように、音量切替スイッチ１６３が小音量、中音量、大音量に設定された場合に、ソフトウェアによる音量の初期値を、それぞれ第１音量、第５音量、第１０音量に設定するが、特にかかる態様に限定されない。例えば、ソフトウェアによって、音量を、第１音量よりも小さな音が出力される第０音量に設定可能とする。また、ソフトウェアによって、音量を、第１音量よりも小さな音が出力される「−１」音量や「−２」音量に設定可能とする。また、音量切替スイッチ１６３は、音量を、小音量よりも小さな音に初期値が設定される極小量に設定可能とする。そして、音量切替スイッチ１６３が極小量に設定された場合に、ソフトウェアによる音量の初期値を、「−１」音量に設定してもよい。なお、「−２」音量、「−１」音量、第０音量は、ミュート（消音）ではなく、第１音量よりも小さな音を出力する値であり、「−２」音量、「−１」音量、第０音量の順に音が大きくなる。このように、第１音量よりも小さな音が出力される段階を設定可能とした場合においても、図２８に示した「音量・光量調整」の画像の段階表示は、図２８に示したように第１音量から表示するようにし、音量が例えば「−１」音量に設定されている場合には、演出キー１６２の右側キー１６２ｄが２回押されたときに第１音量に設定されたことを報知するようにしてもよい。
【０１９４】
また、上述した実施の形態においては、音量切替スイッチ１６３が小音量、中音量、大音量に設定された場合に、ソフトウェアによる音量の初期値を、それぞれ異なる第１音量、第５音量、第１０音量に設定するが、特にかかる態様に限定されない。音量切替スイッチ１６３が異なる位置に設定されても、ソフトウェアによる音量の初期値を同じ音量に設定してもよい。
また、上述した実施の形態においては、音量切替スイッチ１６３がどこに設定されていても、ソフトウェアによって、第１音量〜第１０音量の１０段階に調整可能な例を示したが、特にかかる態様に限定されない。音量切替スイッチ１６３の設定によって、ソフトウェアによる調整可能範囲を制限してもよい。例えば音量切替スイッチ１６３が小音量に設定されている場合には、ソフトウェアによる調整可能な値の上限を第５音量にするなど、第１０音量より小さくしてもよい。
また、音量切替スイッチ１６３が小音量に設定されているときのみ、第１音量をミュート（消音）としてもよい。
【０１９５】
なお、エラー音を鳴動するときの音量は、音量切替スイッチ１６３の設定、ソフトウェアによる設定に依存せず、例えばソフトウェアによる最大音量である第１０音量よりも大きな音に予め設定された固定の音量であることを例示することができる。
また、音量切替スイッチ１６３がエコモードに設定された場合、音量が大音量に設定される例を示したが、特にかかる態様に限定されない。音量切替スイッチ１６３がエコモードに設定された場合、音量は小音量または中音量に設定されてもよい。
また、音量切替スイッチ１６３は、スライド式のスイッチに限定されない。例えば、ダイヤル式であってもよい。
また、音量切替スイッチ１６３とは別体の専用のエコモードスイッチを設け、エコモードには、このエコモードスイッチにて設定できるようにしてもよい。
また、音量切替スイッチ１６３は、画像／音響制御部３１０が構成された画像制御基板上に直接搭載されるハードウェアボリュームのスイッチであってもよい。また、画像／音響制御部３１０が、ソフトウェアによって、音量を調整可能な構成であってもよい。
【０１９６】
また、上述した実施の形態に係るパチンコ遊技機１００においては、客待ち状態であるときに、遊技者が演出ボタン１６１を押下することにより音量を最大音量に変更することができる態様であるが、特にかかる態様に限定されない。最大音量でない場合には、客待ち状態であるとき以外、例えば特別図柄の変動中や大当たり遊技中やエンディング演出中であるときに、遊技者が演出ボタン１６１を押下することにより音量を最大音量に変更することができるようにしてもよい。つまり、演出制御部３００は、最大音量でない場合には、例えば特別図柄の変動中や大当たり遊技中やエンディング演出中であるときも、演出ボタン１６１の操作を受け付けるとともに、演出ボタン１６１の押下に応じて最大音量に設定変更してもよい。
【０１９７】
ただし、特別図柄の変動中であっても、特別図柄の変動開始後０．５秒間や、特別図柄の変動停止前の０．５秒間は、遊技者が演出ボタン１６１を押下しても最大音量に設定変更しないようにしてもよい。これは、図３２に示した画像が画像表示部１１４に表示されると、遊技者は、画像表示部１１４に表示される３つの装飾図柄の変動開始動作や装飾図柄の変動停止時の３つの装飾図柄の停止動作（確定動作）を認識することが困難となるためである。そのため、図３２に示した画像が、３つの装飾図柄の変動開始動作や停止動作（確定動作）を認識させることができないほど３つの装飾図柄を隠さないのであれば、特別図柄の変動開始後０．５秒間や変動停止前０．５秒間の期間内であっても演出ボタン１６１の押下により最大音量に設定変更するようにしてもよい。
【０１９８】
また、特別図柄の変動中であって、画像表示部１１４に表示される装飾図柄変動演出にて演出ボタン１６１の操作を受け付ける期間中（例えば、図２５の（１３−１）参照）は、遊技者が演出ボタン１６１の押下により最大音量に設定変更することができないように構成してもよい。
また、図３２に示した画像が画像表示部１１４に表示されているときに、３つの装飾図柄の変動開始動作や停止動作（確定動作）が行われるときには、上述した所定期間内であっても図３２に示した画像の表示を消すとよい。
【０１９９】
また、上述した実施の形態に係るパチンコ遊技機１００においては、パチンコ遊技機１００が客待ち状態である場合に、演出キー１６２の上側キー１６２ａまたは下側キー１６２ｃが押されたときに、図２９に示したトップメニュー画像１１４ｉを画像表示部１１４に表示するが、特にかかる態様に限定されない。
例えば、パチンコ遊技機１００は、パチンコ遊技機１００が客待ち状態である場合であって最大音量である場合に、演出ボタン１６１が押されたら、図２９に示したトップメニュー画像１１４ｉを画像表示部１１４に表示させてもよい。
そして、ぱちログ関連画像は、トップメニュー画像１１４ｉを経由することなく、演出キー１６２の上側キー１６２ａまたは下側キー１６２ｃが押されたときに、表示するようにしてもよい。かかる場合には、図３１に示した説明画像１１４ｋを表示する所定のタイミングを、ぱちログ関連画像を表示し終えたとき（ぱちログ関連画像に表示された文字「戻る」が選択されて演出ボタン１６１が押下されたとき）としてもよい。
【０２００】
図３４は、演出ボタン１６１が押された場合に画像表示部１１４に表示する画像の変形例である。
演出ボタン１６１が押下された場合に最大音量に設定するのに加えて、演出ボタン１６１が押下された場合に、光量も最大光量に設定してもよい。演出制御部３００は、例えば客待ち状態である場合に、演出ボタン１６１が押されたことを認識した場合には、図３４に示すような、最大音量に設定されるとともに最大光量に設定された旨を報知する報知画像１１４ｎを画像表示部１１４に表示させ、音量を最大音量である第１０音量に、光量を最大光量である第３光量に設定する。
これにより、遊技者は、演出ボタン１６１を押しさえすれば最大音量および最大光量になるので、簡易に最大音量および最大光量にすることができる。
【０２０１】
〔本実施の形態の技術的特徴〕
◆上記のように、本実施の形態では、遊技制御手段の動作を制御する制御命令の増加を削減するため、遊技制御部２００により所定の時間間隔で繰り返し実行される主制御処理において、１サイクルの主制御処理の最後に、その１サイクルの実行で生成されたコマンドをまとめて、演出制御部３００へ出力することとした。すなわち、上記の目的を達成する遊技機は、遊技の進行に応じて演出を行う遊技機（例えば、パチンコ遊技機１００）であって、遊技の進行に関する一連の処理である主制御処理を所定の条件にしたがって繰り返し実行し、当該主制御処理を実行して得られた遊技に関する情報を含むデータを生成する遊技制御手段（例えば、遊技制御部２００）と、一連の前記主制御処理を１サイクル実行する度に、当該１サイクルの実行により生成された前記データを、当該１サイクルの実行における最後のデータの生成が行われた後に出力する出力手段（例えば、出力制御部２４０）と、前記出力手段（例えば、出力制御部２４０）から出力されたデータを受け付け、受け付けたデータに基づき演出を行う演出制御手段（例えば、演出制御部３００）と、を備える。
このようにすれば、生成されたデータごとに出力処理を行う必要がないため、出力処理を行うための制御命令を削減し、プログラムサイズの増大を抑制することができる。また、データが生成される度に出力処理を行う必要がないため、出力処理全体に要する時間を短縮することができる。
また、より詳細には、上記の遊技機において、前記主制御処理で生成されたデータを、データごとに設定された記憶領域（例えば、コマンド格納領域）に記憶する記憶手段（例えば、ＲＡＭ２０３）をさらに備え、前記遊技制御手段（例えば、遊技制御部２００）は、前記主制御処理において生成した前記データを、生成したデータに対応付けられた前記記憶領域（例えば、コマンド格納領域）に記憶させ、前記出力手段（例えば、出力制御部２４０）は、前記記憶手段（例えば、ＲＡＭ２０３）の各記憶領域に対してデータが記憶されているか否かを調べ、データが記憶されている記憶領域からデータを読み出して出力する。
このようにすれば、出力処理を行う度に、各記憶領域を確認して、記憶されているデータを出力するので、データ出力の漏れを防止することができる。
【０２０２】
◆また、上記の目的を達成する他の遊技機は、遊技の進行に応じて演出を行う遊技機（例えば、パチンコ遊技機１００）であって、遊技の進行に関する一連の処理である主制御処理を所定の条件にしたがって繰り返し実行し、当該主制御処理とは異なる条件にしたがって当該主制御処理とは異なる特別処理を実行する遊技制御手段（例えば、遊技制御部２００）と、前記遊技制御手段（例えば、遊技制御部２００）から出力されたデータを受け付け、前記データに基づき演出に関わる処理を行う演出制御手段（例えば、演出制御部３００）と、を備え、前記主制御処理において前記遊技制御手段（例えば、遊技制御部２００）による処理は、遊技の進行に基づく処理を行うと共に、当該処理を実行して得られた情報を含むデータを生成する１または複数の第１の処理手段（例えば、遊技制御部２００）を呼び出して実行する部分と、前記第１の処理手段（例えば、遊技制御部２００）の実行により生成されたデータを前記演出制御手段（例えば、演出制御部３００）へ出力する第２の処理手段（例えば、出力制御部２４０）を呼び出して実行する部分と、を含み、前記特別処理において前記遊技制御手段（例えば、遊技制御部２００）による処理は、遊技機（例えば、パチンコ遊技機１００）の設定を行う設定処理を実行する部分と、前記設定処理において生成されたデータを、前記主制御処理における前記第２の処理手段（例えば、出力制御部２４０）を呼び出して、前記演出制御手段（例えば、演出制御部３００）へ出力する部分と、を含む、構成とすることができる。
このようにすれば、特別処理で生成されたデータの出力処理を行うために個別の制御命令を用意する必要がないため、出力処理を行うための制御命令を削減し、プログラムサイズの増大を抑制することができる。
また、より詳細には、上記の遊技機において、前記主制御処理で生成されたデータを、データごとに設定された記憶領域に記憶する記憶手段（例えば、ＲＡＭ２０３）をさらに備え、前記主制御処理における前記第１の処理手段（例えば、遊技制御部２００）は、処理の実行により生成した前記データを、生成したデータに対応付けられた前記記憶領域（例えば、コマンド格納領域）に順次記憶させ、前記主制御処理における前記第２の処理手段（例えば、出力制御部２４０）は、前記記憶手段（例えば、ＲＡＭ２０３）の各記憶領域に対してデータが記憶されているか否かを調べ、データが記憶されている記憶領域からデータを読み出して出力し、前記特別処理における前記設定処理では、前記設定処理において生成されたデータを、前記記憶手段（例えば、ＲＡＭ２０３）における所定の前記記憶領域に記憶させる。
このようにすれば、出力処理を行う度に、各記憶領域を確認して、記憶されているデータを出力するので、データ出力の漏れを防止することができる。
【０２０３】
なお、パチンコ遊技機１００（図１参照）は遊技機の一例である。遊技制御部２００（図３参照）は遊技制御手段の一例である。演出制御部３００（図３参照）は演出制御手段の一例である。出力制御部２４０（図５参照）は出力手段の一例である。ＲＡＭ２０３（図３参照）は記憶手段の一例である。コマンド格納領域は記憶領域の一例である。
【符号の説明】
【０２０４】
１００…パチンコ遊技機（遊技機の一例）
１５６…スピーカ（音出力手段の一例）
１６１…演出ボタン（操作手段の一例）
２３３…特別図柄変動制御部（図柄制御手段の一例）
３００…演出制御部（演出実行手段の一例、特定演出実行手段の一例）
【図１】
2018000681.tif 000003
【図２】
2018000681.tif 000004
【図３】
2018000681.tif 000005
【図４】
2018000681.tif 000006
【図５】
2018000681.tif 000007
【図６】
2018000681.tif 000008
【図７】
2018000681.tif 000009
【図８】
2018000681.tif 000010
【図９】
2018000681.tif 000011
【図１０】
2018000681.tif 000012
【図１１】
2018000681.tif 000013
【図１２】
2018000681.tif 000014
【図１３】
2018000681.tif 000015
【図１４】
2018000681.tif 000016
【図１５】
2018000681.tif 000017
【図１６】
2018000681.tif 000018
【図１７】
2018000681.tif 000019
【図１８】
2018000681.tif 000020
【図１９】
2018000681.tif 000021
【図２０】
2018000681.tif 000022
【図２１】
2018000681.tif 000023
【図２２】
2018000681.tif 000024
【図２３】
2018000681.tif 000025
【図２４】
2018000681.tif 000026
【図２５】
2018000681.tif 000027
【図２６】
2018000681.tif 000028
【図２７】
2018000681.tif 000029
【図２８】
2018000681.tif 000030
【図２９】
2018000681.tif 000031
【図３０】
2018000681.tif 000032
【図３１】
2018000681.tif 000033
【図３２】
2018000681.tif 000034
【図３３】
2018000681.tif 000035
【図３４】
2018000681.tif 000036
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
遊技者にとって有利な特別遊技を行うか否かの判定結果に基づいて、図柄を変動表示させてから前記判定結果を表す態様で停止表示させる図柄制御手段と、
前記変動表示中に、所定の演出を実行する演出実行手段と、
遊技者が操作可能な第１操作手段及び第２操作手段と、
前記所定の演出において前記第２操作手段が操作された場合に、特定演出を実行可能な特定演出実行手段と、
少なくとも前記所定の演出において音を出力する音出力手段と、を備え、
前記図柄の変動表示が実行されていないときに、前記第１操作手段が操作された場合には前記音出力手段により出力する音量の設定を段階的に変更し、前記第２操作手段が操作された場合には前記音出力手段により出力する音量の設定を最大にすることを特徴とする遊技機。
【手続補正２】
【補正対象書類名】明細書
【補正対象項目名】０００５
【補正方法】変更
【補正の内容】
【０００５】
上記の目的を達成する本発明は、次のような遊技機として実現される。この遊技機（例えば、パチンコ遊技機１００）は、遊技者にとって有利な特別遊技を行うか否かの判定結果に基づいて、図柄を変動表示させてから前記判定結果を表す態様で停止表示させる図柄制御手段（例えば、特別図柄変動制御部２３３）と、前記変動表示中に、所定の演出を実行する演出実行手段（例えば、演出制御部３００）と、遊技者が操作可能な第１操作手段（例えば、演出キー１６２）及び第２操作手段（例えば、演出ボタン１６１）と、前記所定の演出において前記第２操作手段（例えば、演出ボタン１６１）が操作された場合に、特定演出を実行可能な特定演出実行手段（例えば、演出制御部３００）と、少なくとも前記所定の演出において音を出力する音出力手段（例えば、スピーカ１５６）と、を備え、前記図柄の変動表示が実行されていないときに、前記第１操作手段（例えば、演出キー１６２）が操作された場合には前記音出力手段（例えば、スピーカ１５６）により出力する音量の設定を段階的に変更し、前記第２操作手段（例えば、演出ボタン１６１）が操作された場合には前記音出力手段（例えば、スピーカ１５６）により出力する音量の設定を最大にすることを特徴とする遊技機（例えば、パチンコ遊技機１００）である。